(57)【要約】【課題】効率的な上りリンクの信号の送受信を実現する。【解決手段】パワーヘッドルームを報告させるきっかけとなるタイマーの値を示す情報を受信する受信処理部と、タイマーの満了後、複数のサブフレームに関するパワーヘッドルームを第一の基地局装置または第二の基地局装置に報告することをトリガーするＭＡＣ制御部と、を有する。【選択図】図１
2015082747.tif 000002
【特許請求の範囲】
【請求項１】
端末装置と通信を行う基地局装置であって、異なる２つの前記基地局装置と接続される前記端末装置に対して、前記端末装置において複数のサブフレームに関するパワーヘッドルームの報告のトリガーの判断に用いられるタイマーの値を示す情報を通知することを特徴とする基地局装置。
【請求項２】
前記異なる２つの基地局装置は、少なくとも第一の基地局装置と第二の基地局装置を含み、
前記タイマーは、前記第一の基地局装置への上りリンクの信号に対する前記パワーヘッドルームの前記第二の基地局装置への報告のトリガーの判断に用いられる第一のタイマーと、前記第二の基地局装置への上りリンクの信号に対する前記パワーヘッドルームの前記第一の基地局装置への報告のトリガーの判断に用いられる第二のタイマーとから構成されることを特徴とする請求項１に記載の基地局装置。
【請求項３】
複数のサブフレームに対する複数のパワーヘッドルームに対して平均化処理が行われたパワーヘッドルームを前記端末装置から取得することを特徴とする請求項２記載の基地局装置。
【請求項４】
複数のサブフレームに対する複数のパワーヘッドルームを同一のサブフレームで前記端末装置から取得することを特徴とする請求項２記載の基地局装置。
【請求項５】
前記端末装置から報告されるパワーヘッドルームの個数を示す情報を取得することを特徴とする請求項４記載の基地局装置。
【請求項６】
前記端末装置が同一のサブフレームで報告するパワーヘッドルームの個数を示す情報をＲＲＣシグナリングを用いて前記端末装置に通知することを特徴とする請求項４記載の基地局装置。
【請求項７】
複数のサブフレームに対する複数のパワーヘッドルームの最大値と最小値を前記端末装置から取得することを特徴とする請求項２記載の基地局装置。
【請求項８】
複数のサブフレームに対する複数のパワーヘッドルームの最大値を前記端末装置から取得することを特徴とする請求項２記載の基地局装置。
【請求項９】
第一の基地局装置と第二の基地局装置と接続する端末装置であって、パワーヘッドルームを報告させるきっかけとなるタイマーの値を示す情報を受信し、前記タイマーの満了後、複数のサブフレームに関するパワーヘッドルームを前記第一の基地局装置または前記第二の基地局装置に報告することを特徴とする端末装置。
【請求項１０】
前記第一の基地局装置への上りリンクの信号に対する前記パワーヘッドルームを前記第二の基地局装置に報告し、前記第二の基地局装置への上りリンクの信号に対する前記パワーヘッドルームを前記第一の基地局装置に報告することを特徴とする請求項９記載の端末装置。
【請求項１１】
前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴とする請求項１０記載の端末装置。
【請求項１２】
前記第一のタイマーの満了以前に前記第一の基地局装置にＰＵＳＣＨを用いて信号を送信しなかった場合は、前記第一の基地局装置にＰＵＳＣＨを用いて信号を送信するまで前記第一の基地局装置への上りリンクの信号に対するパワーヘッドルームを前記第二の基地局装置に報告することを延期し、前記第二のタイマーの満了以前に前記第二の基地局装置にＰＵＳＣＨを用いて信号を送信しなかった場合は、前記第二の基地局装置にＰＵＳＣＨを用いて信号を送信するまで前記第二の基地局装置への上りリンクの信号に対するパワーヘッドルームを前記第一の基地局装置に報告することを延期することを特徴とする請求項１１記載の端末装置。
【請求項１３】
複数のサブフレームに対する複数の前記パワーヘッドルームに対して平均化処理を行い、前記平均化処理が行われたパワーヘッドルームを報告することを特徴とする請求項１１記載の端末装置。
【請求項１４】
前記第一の基地局装置にＰＵＳＣＨを用いて信号を送信した場合のパワーヘッドルームのみを用いて平均化処理を行ったパワーヘッドルームを前記第二の基地局装置に報告し、前記第二の基地局装置にＰＵＳＣＨを用いて信号を送信した場合のパワーヘッドルームのみを用いて平均化処理を行ったパワーヘッドルームを前記第一の基地局装置に報告することを特徴とする請求項１３記載の端末装置。
【請求項１５】
前記パワーヘッドルームを前記第一の基地局装置または前記第二の基地局装置に報告する際、前記報告されるパワーヘッドルームの計算に用いるパワーヘッドルームが１つしかない場合は、複数サブフレームに対する平均化処理を行わないことを特徴とする請求項１３記載の端末装置。
【請求項１６】
複数のサブフレームに対する複数の前記パワーヘッドルームを同一のサブフレームで報告することを特徴とする請求項１１記載の端末装置。
【請求項１７】
報告する前記パワーヘッドルームの個数を示す情報を報告することを特徴とする請求項１６記載の端末装置。
【請求項１８】
同一のサブフレームで報告される前記パワーヘッドルームの個数がＲＲＣシグナリングで構成されることを特徴とする請求項１６記載の端末装置。
【請求項１９】
複数のサブフレームに対する複数の前記パワーヘッドルームの最大値と最小値を報告することを特徴とする請求項１１記載の端末装置。
【請求項２０】
複数のサブフレームに対する複数の前記パワーヘッドルームの最大値を報告することを特徴とする請求項１１記載の端末装置。
【請求項２１】
端末装置と通信を行う基地局装置に用いられる通信方法であって、異なる２つの前記基地局装置と接続される前記端末装置に対して、前記端末装置において複数のサブフレームに関するパワーヘッドルームの報告のトリガーの判断に用いられるタイマーの値を示す情報を通知することを特徴とする通信方法。
【請求項２２】
第一の基地局装置と第二の基地局装置と接続する端末装置に用いられる通信方法であって、パワーヘッドルームを報告させるきっかけとなるタイマーの値を示す情報を受信し、前記タイマーの満了後、複数のサブフレームに関するパワーヘッドルームを前記第一の基地局装置または前記第二の基地局装置に報告することを特徴とする通信方法。
【請求項２３】
第一の基地局装置と第二の基地局装置と接続する端末装置に実装される集積回路であって、パワーヘッドルームを報告させるきっかけとなるタイマーの値を示す情報を受信する受信処理部と、前記タイマーの満了後、複数のサブフレームに関するパワーヘッドルームを前記第一の基地局装置または前記第二の基地局装置に報告することをトリガーするＭＡＣ制御部と、を有することを特徴とする集積回路。
【請求項２４】
前記ＭＡＣ制御部は、前記第一の基地局装置への上りリンクの信号に対する前記パワーヘッドルームを前記第二の基地局装置に報告することをトリガーし、前記第二の基地局装置への上りリンクの信号に対する前記パワーヘッドルームを前記第一の基地局装置に報告することをトリガーすることを特徴とする請求項２３記載の集積回路。
【請求項２５】
前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴とする請求項２４記載の集積回路。
【請求項２６】
前記ＭＡＣ制御部は、前記端末装置が前記第一のタイマーの満了以前に前記第一の基地局装置にＰＵＳＣＨを用いて信号を送信しなかった場合は、前記端末装置が前記第一の基地局装置にＰＵＳＣＨを用いて信号を送信するまで前記第一の基地局装置への上りリンクの信号に対するパワーヘッドルームを前記第二の基地局装置に報告することをトリガーすることを延期し、前記端末装置が前記第二のタイマーの満了以前に前記第二の基地局装置にＰＵＳＣＨを用いて信号を送信しなかった場合は、前記端末装置が前記第二の基地局装置にＰＵＳＣＨを用いて信号を送信するまで前記第二の基地局装置への上りリンクの信号に対するパワーヘッドルームを前記第一の基地局装置に報告することをトリガーすることを延期することを特徴とする請求項２５記載の集積回路。
【請求項２７】
前記ＭＡＣ制御部は、複数のサブフレームに対する複数の前記パワーヘッドルームに対して平均化処理を行い、前記平均化処理が行われたパワーヘッドルームを生成することを特徴とする請求項２５記載の集積回路。
【請求項２８】
前記ＭＡＣ制御部は、前記端末装置が前記第一の基地局装置にＰＵＳＣＨを用いて信号を送信した場合のパワーヘッドルームのみを用いて平均化処理を行ったパワーヘッドルームを生成し、前記端末装置が前記第二の基地局装置にＰＵＳＣＨを用いて信号を送信した場合のパワーヘッドルームのみを用いて平均化処理を行ったパワーヘッドルームを生成することを特徴とする請求項２７記載の集積回路。
【請求項２９】
前記ＭＡＣ制御部は、前記パワーヘッドルームが前記第一の基地局装置または前記第二の基地局装置に報告される際、前記報告されるパワーヘッドルームの計算に用いるパワーヘッドルームが１つしかない場合は、複数サブフレームに対する平均化処理を行わないことを特徴とする請求項２８記載の集積回路。
【請求項３０】
前記ＭＡＣ制御部は、複数のサブフレームに対する複数の前記パワーヘッドルームを同一のサブフレームで報告するメッセージとして生成することを特徴とする請求項２５記載の集積回路。
【請求項３１】
前記ＭＡＣ制御部は、報告する前記パワーヘッドルームの個数を示す情報を前記メッセージの一部として生成することを特徴とする請求項３０記載の集積回路。
【請求項３２】
同一のサブフレームで報告される前記パワーヘッドルームの個数を構成するＲＲＣ制御部を有することを特徴とする請求項３０記載の集積回路。
【請求項３３】
前記ＭＡＣ制御部は、複数のサブフレームに対する複数の前記パワーヘッドルームの最大値と最小値を報告するメッセージとして生成することを特徴とする請求項２５記載の集積回路。
【請求項３４】
前記ＭＡＣ制御部は、複数のサブフレームに対する複数の前記パワーヘッドルームの最大値を報告するメッセージとして生成することを特徴とする請求項２５記載の集積回路。
【発明の詳細な説明】
【技術分野】
【０００１】
本発明は、基地局装置および端末装置に関連し、より詳細には、効率的な上りリンクの信号の送受信を実現することができる基地局装置、端末装置、通信方法および集積回路に関する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。
【０００３】
一方、３ＧＰＰでは、第三世代無線アクセスの進化（以下、「Long Term Evolution (LTE)」、または、「Evolved Universal Terrestrial Radio Access (EUTRA)」と呼称する。）の標準化も行なわれ、サービスが開始されている。ＬＴＥの下りリンクの通信方式として、ＯＦＤＭ（Orthogonal Frequency Division Multiplexing）方式が用いられる。また、ＬＴＥの上りリンクの通信方式として、ＳＣ−ＦＤＭＡ（Single Carrier-Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００４】
また、３ＧＰＰでは、ＬＴＥの更なる進化（以下、「Long Term Evolution-Advanced (LTE-Advanced)」、または、「Advanced Evolved Universal Terrestrial Radio Access (Advanced-EUTRA)」と呼称する。）の標準化も行われ、サービスが開始されている。ＬＴＥ−Ａｄｖａｎｃｅｄでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
ＬＴＥ−Ａｄｖａｎｃｅｄでは、ＬＴＥの移動局装置も収容できるようにＬＴＥと互換性のある帯域を複数個束ねることで、最大１００ＭＨｚ帯域の通信帯域を実現することが考えられている。尚、ＬＴＥ−Ａｄｖａｎｃｅｄでは、ＬＴＥの１つの２０ＭＨｚ以下の帯域がコンポーネントキャリア（Component Carrier : ＣＣ）と呼ばれている。１つのセル（Cell）は、１つの下りリンクのコンポーネントキャリアと１つの上りリンクのコンポーネントキャリア、または１つの下りリンクのコンポーネントキャリアのみから構成される。また、２０ＭＨｚ以下の帯域を束ねることは、キャリアアグリゲーション(Carrier Aggregation：ＣＡ)と呼ばれている。
【０００６】
また、ＬＴＥ−Ａｄｖａｎｃｅｄでは、マクロセル(Macro Cell)が構成するセルとスモールセル(Small Cell)が構成するセルを一緒に用いて通信を行うことが検討されている。ＬＴＥ−Ａｄｖａｎｃｅｄでは、マクロセルを構成する基地局装置とスモールセルを構成する基地局装置との間のバックホールについて、２つのタイプのバックホールが想定されている（非特許文献１）。バックホールのタイプは、理想的バックホール（Ideal backhaul）と非理想的バックホール（non-ideal backhaul）に分類される。マクロセルを構成する基地局装置とスモールセルを構成する基地局装置との間のバックホールがｎｏｎ−ｉｄｅａｌ  ｂａｃｋｈａｕｌであって、それらの基地局装置と移動局装置とが通信を行うオペレーションは、デュアルコネクティビティ（Dual Connectivity）と呼ばれている（非特許文献２）。また、ＬＴＥ−Ａｄｖａｎｃｅｄでは、Ｄｕａｌ  ｃｏｎｎｅｃｔｉｖｉｔｙにおける基地局装置のスケジューラについて検討が行われている（非特許文献３）。
【先行技術文献】
【非特許文献】
【０００７】
【非特許文献１】3GPP TR(Technical Report)36.932、V12.1.0(2013-03)、Scenarios and requirements for small cell enhancements for E-UTRA and E-UTRAN (release 12)
【非特許文献２】3GPP TR(Technical Report)36.842、V0.2.0(2013-05)、Study on Small Cell Enhancements for E-UTRA and E-UTRAN - Higher layer aspects(release 12)
【非特許文献３】3GPP TSG RAN2 #83、Barcelona、Spain、19-23、August、2013、R2-132504“Challenge on UL transmission of dual connectivity”
【発明の概要】
【発明が解決しようとする課題】
【０００８】
非特許文献３に記載のように、マクロセルを構成する基地局装置とスモールセルを構成する基地局装置とのそれぞれにおいてスケジューラ（移動局装置へのリソース割り当てを行う機能エンティティ）が配置され、移動局装置の上りリンクに対するリソースの割り当てがそれぞれのスケジューラで独立に行われると、それぞれの基地局装置に対する上りリンクの信号の送信に関して移動局装置に要求される送信電力の総和が、移動局装置の最大送信電力を超えてしまうという問題が生じる。この場合、移動局装置は、要求される送信電力よりも低い送信電力で信号を送信しなければならない。要求される送信電力よりも非常に低い送信電力で信号が送信された場合、適切なデータ通信が実現できない結果となってしまう。
【０００９】
本発明は、このような事情に鑑みてなされたものであり、Ｄｕａｌ  ｃｏｎｎｅｃｔｉｖｉｔｙによるオペレーション時に基地局装置のスケジューリングを効率良く動作させるための基地局装置、端末装置、通信方法及び集積回路を提供することを目的とする。
【課題を解決するための手段】
【００１０】
（１）前述の目的を達成するために、本発明は、以下のような手段を講じた。すなわち、本発明の無線通信システムは、第一の基地局装置と第二の基地局装置とが端末装置と通信を行う無線通信システムであって、前記第一の基地局装置は、パワーヘッドルームを報告させるきっかけとなるタイマーの値を示す情報を前記端末装置に通知し、前記端末装置は、前記タイマーの満了後、複数のサブフレームに関するパワーヘッドルームを前記第一の基地局装置または前記第二の基地局装置に報告することを特徴としている。
【００１１】
（２）また、本発明の無線通信システムにおいて、前記端末装置は、前記第一の基地局装置への上りリンクの信号に対する前記パワーヘッドルームを前記第二の基地局装置に報告し、前記第二の基地局装置への上りリンクの信号に対する前記パワーヘッドルームを前記第一の基地局装置に報告することを特徴としている。
【００１２】
（３）また、本発明の無線通信システムにおいて、前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴としている。
【００１３】
（４）また、本発明の無線通信システムにおいて、前記端末装置は、前記第一のタイマーの満了以前に前記第一の基地局装置にＰＵＳＣＨを用いて信号を送信しなかった場合は、前記第一の基地局装置にＰＵＳＣＨを用いて信号を送信するまで前記第一の基地局装置への上りリンクの信号に対するパワーヘッドルームを前記第二の基地局装置に報告することを延期し、前記第二のタイマーの満了以前に前記第二の基地局装置にＰＵＳＣＨを用いて信号を送信しなかった場合は、前記第二の基地局装置にＰＵＳＣＨを用いて信号を送信するまで前記第二の基地局装置への上りリンクの信号に対するパワーヘッドルームを前記第一の基地局装置に報告することを延期することを特徴としている。
【００１４】
（５）また、本発明の無線通信システムにおいて、前記端末装置は、複数のサブフレームに対する複数の前記パワーヘッドルームに対して平均化処理を行い、前記平均化処理が行われたパワーヘッドルームを報告することを特徴としている。
【００１５】
（６）また、本発明の無線通信システムにおいて、前記端末装置は、前記第一の基地局装置にＰＵＳＣＨを用いて信号を送信した場合のパワーヘッドルームのみを用いて平均化処理を行ったパワーヘッドルームを前記第二の基地局装置に報告し、前記第二の基地局装置にＰＵＳＣＨを用いて信号を送信した場合のパワーヘッドルームのみを用いて平均化処理を行ったパワーヘッドルームを前記第一の基地局装置に報告することを特徴としている。
【００１６】
（７）また、本発明の無線通信システムにおいて、前記端末装置は、前記パワーヘッドルームを前記第一の基地局装置または前記第二の基地局装置に報告する際、前記報告されるパワーヘッドルームの計算に用いるパワーヘッドルームが１つしかない場合は、複数サブフレームに対する平均化処理を行わないことを特徴としている。
【００１７】
（８）また、本発明の無線通信システムにおいて、前記端末装置は、複数のサブフレームに対する複数の前記パワーヘッドルームを同一のサブフレームで報告することを特徴としている。
【００１８】
（９）また、本発明の無線通信システムにおいて、前記端末装置は、報告する前記パワーヘッドルームの個数を示す情報を報告することを特徴としている。
【００１９】
（１０）また、本発明の無線通信システムにおいて、同一のサブフレームで報告される前記パワーヘッドルームの個数がＲＲＣシグナリングで構成されることを特徴としている。
【００２０】
（１１）また、本発明の無線通信システムにおいて、前記端末装置は、複数のサブフレームに対する複数の前記パワーヘッドルームの最大値と最小値を報告することを特徴としている。
【００２１】
（１２）また、本発明の無線通信システムにおいて、前記端末装置は、複数のサブフレームに対する複数の前記パワーヘッドルームの最大値を報告することを特徴としている。
【００２２】
（１３）本発明の基地局装置は、異なる２つの前記基地局装置と接続される端末装置に対して、前記端末装置において複数のサブフレームに関するパワーヘッドルームの報告のトリガーの判断に用いられるタイマーの値を示す情報を通知することを特徴としている。
【００２３】
（１４）また、本発明の基地局装置において、前記異なる２つの基地局装置は、少なくとも第一の基地局装置と第二の基地局装置を含み、異なる２つの前記基地局装置は第一の基地局装置と第二の基地局装置であり、前記タイマーは、前記第一の基地局装置への上りリンクの信号に対する前記パワーヘッドルームの前記第二の基地局装置への報告のトリガーの判断に用いられる第一のタイマーと、前記第二の基地局装置への上りリンクの信号に対する前記パワーヘッドルームの前記第一の基地局装置への報告のトリガーの判断に用いられる第二のタイマーとから構成されることを特徴としている。
【００２４】
（１５）また、本発明の基地局装置において、複数のサブフレームに対する複数のパワーヘッドルームに対して平均化処理が行われたパワーヘッドルームを前記端末装置から取得することを特徴としている。
【００２５】
（１６）また、本発明の基地局装置において、複数のサブフレームに対する複数のパワーヘッドルームを同一のサブフレームで前記端末装置から取得することを特徴としている。
【００２６】
（１７）また、本発明の基地局装置において、前記端末装置から報告されるパワーヘッドルームの個数を示す情報を取得することを特徴としている。
【００２７】
（１８）また、本発明の基地局装置において、前記端末装置が同一のサブフレームで報告するパワーヘッドルームの個数を示す情報をＲＲＣシグナリングを用いて前記端末装置に通知することを特徴としている。
【００２８】
（１９）また、本発明の基地局装置において、複数のサブフレームに対する複数のパワーヘッドルームの最大値と最小値を前記端末装置から取得することを特徴としている。
【００２９】
（２０）また、本発明の基地局装置において、複数のサブフレームに対する複数のパワーヘッドルームの最大値を前記端末装置から取得することを特徴としている。
【００３０】
（２１）本発明の端末装置は、第一の基地局装置と第二の基地局装置と接続する端末装置であって、パワーヘッドルームを報告させるきっかけとなるタイマーの値を示す情報を受信し、前記タイマーの満了後、複数のサブフレームに関するパワーヘッドルームを前記第一の基地局装置または前記第二の基地局装置に報告することを特徴としている。
【００３１】
（２２）また、本発明の端末装置において、前記第一の基地局装置への上りリンクの信号に対する前記パワーヘッドルームを前記第二の基地局装置に報告し、前記第二の基地局装置への上りリンクの信号に対する前記パワーヘッドルームを前記第一の基地局装置に報告することを特徴としている。
【００３２】
（２３）また、本発明の端末装置において、前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴としている。
【００３３】
（２４）また、本発明の端末装置において、前記第一のタイマーの満了以前に前記第一の基地局装置にＰＵＳＣＨを用いて信号を送信しなかった場合は、前記第一の基地局装置にＰＵＳＣＨを用いて信号を送信するまで前記第一の基地局装置への上りリンクの信号に対するパワーヘッドルームを前記第二の基地局装置に報告することを延期し、前記第二のタイマーの満了以前に前記第二の基地局装置にＰＵＳＣＨを用いて信号を送信しなかった場合は、前記第二の基地局装置にＰＵＳＣＨを用いて信号を送信するまで前記第二の基地局装置への上りリンクの信号に対するパワーヘッドルームを前記第一の基地局装置に報告することを延期することを特徴としている。
【００３４】
（２５）また、本発明の端末装置において、複数のサブフレームに対する複数の前記パワーヘッドルームに対して平均化処理を行い、前記平均化処理が行われたパワーヘッドルームを報告することを特徴としている。
【００３５】
（２６）また、本発明の端末装置において、前記第一の基地局装置にＰＵＳＣＨを用いて信号を送信した場合のパワーヘッドルームのみを用いて平均化処理を行ったパワーヘッドルームを前記第二の基地局装置に報告し、前記第二の基地局装置にＰＵＳＣＨを用いて信号を送信した場合のパワーヘッドルームのみを用いて平均化処理を行ったパワーヘッドルームを前記第一の基地局装置に報告することを特徴としている。
【００３６】
（２７）また、本発明の端末装置において、前記パワーヘッドルームを前記第一の基地局装置または前記第二の基地局装置に報告する際、前記報告されるパワーヘッドルームの計算に用いるパワーヘッドルームが１つしかない場合は、複数サブフレームに対する平均化処理を行わないことを特徴としている。
【００３７】
（２８）また、本発明の端末装置において、複数のサブフレームに対する複数の前記パワーヘッドルームを同一のサブフレームで報告することを特徴としている。
【００３８】
（２９）また、本発明の端末装置において、報告する前記パワーヘッドルームの個数を示す情報を報告することを特徴としている。
【００３９】
（３０）また、本発明の端末装置において、同一のサブフレームで報告される前記パワーヘッドルームの個数がＲＲＣシグナリングで構成されることを特徴としている。
【００４０】
（３１）また、本発明の端末装置において、複数のサブフレームに対する複数の前記パワーヘッドルームの最大値と最小値を報告することを特徴としている。
【００４１】
（３２）また、本発明の端末装置において、複数のサブフレームに対する複数の前記パワーヘッドルームの最大値を報告することを特徴としている。
【００４２】
（３３）本発明の通信方法は、端末装置と通信を行う基地局装置に用いられる通信方法であって、異なる２つの前記基地局装置と接続される前記端末装置に対して、前記端末装置において複数のサブフレームに関するパワーヘッドルームの報告のトリガーの判断に用いられるタイマーの値を示す情報を通知することを特徴としている。
【００４３】
（３４）また、本発明の通信方法において、前記異なる２つの基地局装置は、少なくとも第一の基地局装置と第二の基地局装置を含み、異なる２つの前記基地局装置は第一の基地局装置と第二の基地局装置であり、前記タイマーは、前記第一の基地局装置への上りリンクの信号に対する前記パワーヘッドルームの前記第二の基地局装置への報告のトリガーの判断に用いられる第一のタイマーと、前記第二の基地局装置への上りリンクの信号に対する前記パワーヘッドルームの前記第一の基地局装置への報告のトリガーの判断に用いられる第二のタイマーとから構成されることを特徴としている。
【００４４】
（３５）また、本発明の通信方法において、複数のサブフレームに対する複数のパワーヘッドルームに対して平均化処理が行われたパワーヘッドルームを前記端末装置から取得することを特徴としている。
【００４５】
（３６）また、本発明の通信方法において、複数のサブフレームに対する複数のパワーヘッドルームを同一のサブフレームで前記端末装置から取得することを特徴としている。
【００４６】
（３７）また、本発明の通信方法において、前記端末装置から報告されるパワーヘッドルームの個数を示す情報を取得することを特徴としている。
【００４７】
（３８）また、本発明の通信方法において、前記端末装置が同一のサブフレームで報告するパワーヘッドルームの個数を示す情報をＲＲＣシグナリングを用いて前記端末装置に通知することを特徴としている。
【００４８】
（３９）また、本発明の通信方法において、複数のサブフレームに対する複数のパワーヘッドルームの最大値と最小値を前記端末装置から取得することを特徴としている。
【００４９】
（４０）また、本発明の通信方法において、複数のサブフレームに対する複数のパワーヘッドルームの最大値を前記端末装置から取得することを特徴としている。
【００５０】
（４１）本発明の通信方法は、第一の基地局装置と第二の基地局装置と接続する端末装置に用いられる通信方法であって、パワーヘッドルームを報告させるきっかけとなるタイマーの値を示す情報を受信し、前記タイマーの満了後、複数のサブフレームに関するパワーヘッドルームを前記第一の基地局装置または前記第二の基地局装置に報告することを特徴としている。
【００５１】
（４２）また、本発明の通信方法において、前記第一の基地局装置への上りリンクの信号に対する前記パワーヘッドルームを前記第二の基地局装置に報告し、前記第二の基地局装置への上りリンクの信号に対する前記パワーヘッドルームを前記第一の基地局装置に報告することを特徴としている。
【００５２】
（４３）また、本発明の通信方法において、前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴としている。
【００５３】
（４４）また、本発明の通信方法において、前記第一のタイマーの満了以前に前記第一の基地局装置にＰＵＳＣＨを用いて信号を送信しなかった場合は、前記第一の基地局装置にＰＵＳＣＨを用いて信号を送信するまで前記第一の基地局装置への上りリンクの信号に対するパワーヘッドルームを前記第二の基地局装置に報告することを延期し、前記第二のタイマーの満了以前に前記第二の基地局装置にＰＵＳＣＨを用いて信号を送信しなかった場合は、前記第二の基地局装置にＰＵＳＣＨを用いて信号を送信するまで前記第二の基地局装置への上りリンクの信号に対するパワーヘッドルームを前記第一の基地局装置に報告することを延期することを特徴としている。
【００５４】
（４５）また、本発明の通信方法において、複数のサブフレームに対する複数の前記パワーヘッドルームに対して平均化処理を行い、前記平均化処理が行われたパワーヘッドルームを報告することを特徴としている。
【００５５】
（４６）また、本発明の通信方法において、前記第一の基地局装置にＰＵＳＣＨを用いて信号を送信した場合のパワーヘッドルームのみを用いて平均化処理を行ったパワーヘッドルームを前記第二の基地局装置に報告し、前記第二の基地局装置にＰＵＳＣＨを用いて信号を送信した場合のパワーヘッドルームのみを用いて平均化処理を行ったパワーヘッドルームを前記第一の基地局装置に報告することを特徴としている。
【００５６】
（４７）また、本発明の通信方法において、前記パワーヘッドルームを前記第一の基地局装置または前記第二の基地局装置に報告する際、前記報告されるパワーヘッドルームの計算に用いるパワーヘッドルームが１つしかない場合は、複数サブフレームに対する平均化処理を行わないことを特徴としている。
【００５７】
（４８）また、本発明の通信方法において、複数のサブフレームに対する複数の前記パワーヘッドルームを同一のサブフレームで報告することを特徴としている。
【００５８】
（４９）また、本発明の通信方法において、報告する前記パワーヘッドルームの個数を示す情報を報告することを特徴としている。
【００５９】
（５０）また、本発明の通信方法において、同一のサブフレームで報告される前記パワーヘッドルームの個数がＲＲＣシグナリングで構成されることを特徴としている。
【００６０】
（５１）また、本発明の通信方法において、複数のサブフレームに対する複数の前記パワーヘッドルームの最大値と最小値を報告することを特徴としている。
【００６１】
（５２）また、本発明の通信方法において、複数のサブフレームに対する複数の前記パワーヘッドルームの最大値を報告することを特徴としている。
【００６２】
（５３）本発明の集積回路は、第一の基地局装置と第二の基地局装置と接続する端末装置に実装される集積回路であって、パワーヘッドルームを報告させるきっかけとなるタイマーの値を示す情報を受信する受信処理部と、前記タイマーの満了後、複数のサブフレームに関するパワーヘッドルームを前記第一の基地局装置または前記第二の基地局装置に報告することをトリガーするＭＡＣ制御部と、を有することを特徴としている。
【００６３】
（５４）また、本発明の集積回路において、前記ＭＡＣ制御部は、前記第一の基地局装置への上りリンクの信号に対する前記パワーヘッドルームを前記第二の基地局装置に報告することをトリガーし、前記第二の基地局装置への上りリンクの信号に対する前記パワーヘッドルームを前記第一の基地局装置に報告することをトリガーすることを特徴としている。
【００６４】
（５５）また、本発明の集積回路において、前記タイマーは、前記第一の基地局装置への上りリンクの信号に対する前記パワーヘッドルームを前記第二の基地局装置に報告することをトリガーするために用いられる第一のタイマーと、前記第二の基地局装置への上りリンクの信号に対する前記パワーヘッドルームを前記第一の基地局装置に報告することをトリガーするために用いられる第二のタイマーとから構成されることを特徴としている。
【００６５】
（５６）また、本発明の集積回路において、前記ＭＡＣ制御部は、前記端末装置が前記第一のタイマーの満了以前に前記第一の基地局装置にＰＵＳＣＨを用いて信号を送信しなかった場合は、前記端末装置が前記第一の基地局装置にＰＵＳＣＨを用いて信号を送信するまで前記第一の基地局装置への上りリンクの信号に対するパワーヘッドルームを前記第二の基地局装置に報告することをトリガーすることを延期し、前記端末装置が前記第二のタイマーの満了以前に前記第二の基地局装置にＰＵＳＣＨを用いて信号を送信しなかった場合は、前記端末装置が前記第二の基地局装置にＰＵＳＣＨを用いて信号を送信するまで前記第二の基地局装置への上りリンクの信号に対するパワーヘッドルームを前記第一の基地局装置に報告することをトリガーすることを延期することを特徴としている。
【００６６】
（５７）また、本発明の集積回路において、前記ＭＡＣ制御部は、複数のサブフレームに対する複数の前記パワーヘッドルームに対して平均化処理を行い、前記平均化処理が行われたパワーヘッドルームを生成することを特徴としている。
【００６７】
（５８）また、本発明の集積回路において、前記ＭＡＣ制御部は、前記端末装置が前記第一の基地局装置にＰＵＳＣＨを用いて信号を送信した場合のパワーヘッドルームのみを用いて平均化処理を行ったパワーヘッドルームを生成し、前記端末装置が前記第二の基地局装置にＰＵＳＣＨを用いて信号を送信した場合のパワーヘッドルームのみを用いて平均化処理を行ったパワーヘッドルームを生成することを特徴としている。
【００６８】
（５９）また、本発明の集積回路において、前記ＭＡＣ制御部は、前記パワーヘッドルームが前記第一の基地局装置または前記第二の基地局装置に報告される際、前記報告されるパワーヘッドルームの計算に用いるパワーヘッドルームが１つしかない場合は、複数サブフレームに対する平均化処理を行わないことを特徴としている。
【００６９】
（６０）また、本発明の集積回路において、前記ＭＡＣ制御部は、複数のサブフレームに対する複数の前記パワーヘッドルームを同一のサブフレームで報告するメッセージとして生成することを特徴としている。
【００７０】
（６１）また、本発明の集積回路において、前記ＭＡＣ制御部は、報告する前記パワーヘッドルームの個数を示す情報を前記メッセージの一部として生成することを特徴としている。
【００７１】
（６２）また、本発明の集積回路において、同一のサブフレームで報告される前記パワーヘッドルームの個数を構成するＲＲＣ制御部を有することを特徴としている。
【００７２】
（６３）また、本発明の集積回路において、前記ＭＡＣ制御部は、複数のサブフレームに対する複数の前記パワーヘッドルームの最大値と最小値を報告するメッセージとして生成することを特徴としている。
【００７３】
（６４）また、本発明の集積回路において、前記ＭＡＣ制御部は、複数のサブフレームに対する複数の前記パワーヘッドルームの最大値を報告するメッセージとして生成することを特徴としている。
【発明の効果】
【００７４】
本発明によれば、マクロセルの基地局装置およびスモールセルの基地局装置と、端末装置との間で効率的な上りリンクの信号の送受信を行うことが可能となる。
【図面の簡単な説明】
【００７５】
【図１】本発明の実施形態に係る端末装置の構成の一例を示す図である。
【図２】本発明の実施形態に係る基地局装置の構成の一例を示す図である。
【図３】本発明の実施形態のデュアルコネクティビティを用いた動作の一例についての説明図である。
【図４】本発明の実施形態に係る端末装置１のパワーヘッドルームレポーティングの処理の一例を示すフローチャートである。
【図５】本発明の実施形態の物理チャネルの構成の一例を示す図である。
【図６】本発明の実施形態の下りリンクのチャネルの構成の一例を示す図である。
【図７】本発明の実施形態の上りリンクのチャネルの構成を示す図である。
【図８】本発明の実施形態の端末装置１及び基地局装置３の制御データを扱うプロトコルスタックを示す図である。
【図９】本発明の実施形態の端末装置１及び基地局装置３のユーザーデータを扱うプロトコルスタックを示す図である。
【図１０】本発明の実施形態の無線通信システムの構成の一例を示す図である。
【発明を実施するための形態】
【００７６】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００７７】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。また、後述される用語は、本発明における機能を考慮して定義された用語で、ユーザ、運用者の意図または慣例などによって変わり得る。したがって、その用語は、本明細書全般にわたった内容に基づいて定義されるべきである。
【００７８】
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。よって、いくつかの場合、本発明の概念が曖昧になることを避けるために公知の構造及び装置は省略したり、各構造及び装置の核心機能を中心にしたブロック図の形式で図示したりすることができる。本発明の要旨を不明瞭にせず、より明確に伝達するため、図面において一部の構成要素は、誇張されたり省略されたり概略的に示される。また、各構成要素の大きさは、実際の大きさを反映するものではない。また、本明細書全体で同一の構成要素については同一の図面符号を使用して説明する。
【００７９】
明細書全体において、一つの部分が一つの構成要素を「含む」とするとき、これは、特別に反対の記載がない限り、他の構成要素を除外するのではなく、他の構成要素を更に含むことができることを意味する。さらに、詳細な説明または特許請求の範囲のいずれかで使用される“または”という用語は、排他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。また、明細書に記載された「…部」、「…器」、「モジュール」などの用語は、少なくとも一つの機能や動作を処理する単位を意味し、これは、ハードウェアやソフトウェア又はハードウェア及びソフトウェアの組合せで具現することができる。
【００８０】
併せて、以下の説明において、端末装置は、ユーザ装置（User Equipment: UE）、移動局（Mobile Station: MS, Mobile Terminal: MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザ端機器を総称するものとする。また、端末装置は、セルラ電話機、コードレス電話機、セッション開始プロトコル（SIP）電話機、スマートフォン、ワイヤレスローカルループ（WLL）局、パーソナルデジタルアシスタント（PDA）、タブレット、ラップトップ、ハンドヘルド通信デバイス、ハンドヘルドコンピューティングデバイス、衛星ラジオ、ワイヤレスモデムカード、ＵＳＢモデム、ルーター、および／または、ワイヤレスシステムを通して通信するための別の処理デバイスとすることができる。また、基地局装置は、ノードＢ（NodeB）、強化ノードＢ（eNodeB）、基地局、アクセスポイント（Access Point: AP）などの端末と通信するネットワーク端の任意のノードを総称するものとする。なお、基地局装置は、ＲＲＨ（Remote Radio Head、基地局装置より小型の屋外型の無線部を有する装置、Remote Radio Unit: RRUとも称す）（リモートアンテナ、分散アンテナとも呼称する。）を含むものとする。ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。
【００８１】
本発明の端末装置は、下記で説明する各種処理に関連した命令を保持するメモリと、前記メモリに結合され、前記メモリ中に保持された前記命令を実行するように構成された、プロセッサを備えた構成でもよい。本発明の基地局装置は、下記で説明する各種処理に関連した命令を保持するメモリと、前記メモリに結合され、前記メモリ中に保持された前記命令を実行するように構成された、プロセッサを備えた構成でもよい。
【００８２】
図５は、本発明の実施形態の物理チャネルの構成の一例を示す図である。なお、図５に示すように、本発明の実施形態に係る無線通信システムでは、基地局装置（基地局装置３−１）と、複数の端末装置（端末装置１−１、端末装置１−２、端末装置１−３）とが通信を行なう。以下、本実施形態において、基地局装置３−１を基地局装置３と呼び、端末装置１−１、端末装置１−２、端末装置１−３を端末装置１と呼び、適宜説明を行なう。例えば、下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。また、下りリンク同期信号、下りリンク参照信号の物理信号がある。なお、下りリンクにおいて、前述以外の物理チャネル、信号が構成されてもよい。
【００８３】
例えば、上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。また、上りリンク参照信号の物理信号がある。なお、上りリンクリンクにおいて、前述以外の物理チャネル、信号が構成されてもよい。
【００８４】
図６は、本発明の実施形態の下りリンクのチャネルの構成の一例を示す図である。図６に示す下りリンクのチャネルは、それぞれ論理チャネル、トランスポートチャネル、物理チャネルから構成されている。論理チャネルに対して、例えば、媒体アクセス制御（ＭＡＣ：Medium Access Control）層で送受信されるデータ送信サービスの種類が定義される。トランスポートチャネルに対して、例えば、無線インタフェースで送信されるデータの特性や送信方法が定義される。物理チャネルは、例えば、トランスポートチャネルを介してＭＡＣ層から物理層に伝達されたデータを無線通信で伝送するために用いられる物理的なチャネルである。
【００８５】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００８６】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００８７】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置３と端末装置１との間で送受信される。
【００８８】
次に、下りリンクの論理チャネルについて説明する。報知制御チャネルＢＣＣＨは、システム制御情報を報知するために使用される下りリンクチャネルである。ページング制御チャネルＰＣＣＨは、ページング情報を送受信するために使用される下りリンクチャネルであり、端末装置１がキャンプしているセルをネットワークが知らないときに使用される。共通制御チャネルＣＣＣＨは、端末装置１とネットワークとの間で制御情報を送受信するために使用されるチャネルであり、ネットワークと無線リソース制御（ＲＲＣ：Radio Resource Control）接続を有していない端末装置１とによって使用される。
【００８９】
専用制御チャネルＤＣＣＨは、１対１（point-to-point）の双方向チャネルであり、端末装置１とネットワークとの間で個別の制御情報を送受信するために利用されるチャネルである。専用制御チャネルＤＣＣＨは、ＲＲＣ接続を有している端末装置１によって使用される。専用トラフィックチャネルＤＴＣＨは、１対１の双方向チャネルであり、１つの端末装置１に専用のチャネルであって、ユーザー情報（ユニキャストデータ）の転送のために利用される。
【００９０】
次に、下りリンクのトランスポートチャネルについて説明する。報知チャネルＢＣＨは、固定かつ事前に定義された送信形式によって、セル全体に報知される。下りリンク共用チャネルＤＬ−ＳＣＨは、ＨＡＲＱ（Hybrid Automatic Repeat Request：ハイブリッド自動再送要求）、動的適応無線リンク制御、間欠受信（ＤＲＸ：Discontinuous Reception）などの機能がサポートされる。下りリンク共用チャネルＤＬ−ＳＣＨは、セル全体に報知され、または特定の端末装置に対して送信される。
【００９１】
ページングチャネルＰＣＨは、ＤＲＸの機能がサポートされる。ページングチャネルＰＣＨは、セル全体に報知される。また、ページングチャネルＰＣＨは、トラフィックチャネルや他の制御チャネルに対して動的に使用される物理リソース、すなわち物理下りリンク共用チャネルＰＤＳＣＨにマッピングされる。
【００９２】
次に、下りリンクの物理チャネルについて説明する。物理報知チャネルＰＢＣＨには、報知チャネルＢＣＨが配置される。物理報知チャネルＰＢＣＨは、４０ミリ秒周期で送信されるチャネルである。物理下りリンク制御チャネルＰＤＣＣＨは、物理下りリンク共用チャネルＰＤＳＣＨのリソース割り当て情報を含む下りリンク割り当て（Downlink assignment）や物理上りリンク共用チャネルＰＵＳＣＨのリソース割り当て情報を含む上りリンク送信許可（上りリンクグラント：Uplink grant）等を端末装置１に通知するために使用されるチャネルである。物理下りリンク共用チャネルＰＤＳＣＨは、下りリンクのデータまたはページング情報を送受信するために使用されるチャネルである。
【００９３】
次に、下りリンクのチャネルマッピングについて説明する。図６に示されるように、下りリンクでは、次のようにトランスポートチャネルと物理チャネルのマッピングが行われる。報知チャネルＢＣＨは、物理報知チャネルＰＢＣＨに配置される。ページングチャネルＰＣＨおよび下りリンク共用チャネルＤＬ−ＳＣＨは、物理下りリンク共用チャネルＰＤＳＣＨに配置される。物理下りリンク制御チャネルＰＤＣＣＨは、物理チャネル単独で使用される。
【００９４】
また、下りリンクにおいて、次のように論理チャネルとトランスポートチャネルのマッピングが行われる。ページング制御チャネルＰＣＣＨは、ページングチャネルＰＣＨに配置される。報知制御チャネルＢＣＣＨは、報知チャネルＢＣＨと下りリンク共用チャネルＤＬ−ＳＣＨに配置される。共通制御チャネルＣＣＣＨ、専用制御チャネルＤＣＣＨ、専用トラフィックチャネルＤＴＣＨは、下りリンク共用チャネルＤＬ−ＳＣＨに配置される。
【００９５】
なお、下りリンクの論理チャネル、トランスポートチャネル、物理チャネルにおいて、前述以外のチャネルが用いられてもよい。また、前述の各種チャネルに対する説明は、説明の便宜上、適宜省略しており、本発明は前述の記載に限定されない。また、“配置される”という表現は、“対応付けられる”、“関連付けられる”という意味を適宜含む。
【００９６】
図７は、本発明の実施形態の上りリンクのチャネルの構成を示す図である。図７に示す上りリンクのチャネルは、それぞれ論理チャネル、トランスポートチャネル、物理チャネルから構成されている。各チャネルの定義は、基本的に下りリンクのチャネルと同じである。
【００９７】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００９８】
上りリンクのトランスポートチャネルには、上りリンク共用チャネルＵＬ−ＳＣＨ（Uplink Shared Channel）とランダムアクセスチャネルＲＡＣＨ（Random Access Channel）とが含まれる。
【００９９】
上りリンクの物理チャネルには、物理上りリンク制御チャネルＰＵＣＣＨ（Physical Uplink Control Channel）と、物理上りリンク共用チャネルＰＵＳＣＨ（Physical Uplink Shared Channel）と、物理ランダムアクセスチャネルＰＲＡＣＨ（Physical Random Access Channel）とが含まれる。これらのチャネルは、基地局装置３と端末装置１との間で送受信される。尚、物理ランダムアクセスチャネルＰＲＡＣＨは、主に端末装置１が基地局装置３に対する送信タイミング情報を基地局装置３から取得するためのランダムアクセスプリアンブル送信に使用される。ランダムアクセスプリアンブル送信はランダムアクセス手順の中で行なわれる。
【０１００】
次に、上りリンクの論理チャネルについて説明する。共通制御チャネルＣＣＣＨは、端末装置１とネットワークとの間で制御情報を送受信するために使用されるチャネルであり、ネットワークと無線リソース制御（ＲＲＣ：Radio Resource Control）接続が確立していない端末装置１によって使用される。
【０１０１】
専用制御チャネルＤＣＣＨは、１対１（point-to-point）の双方向チャネルであり、端末装置１とネットワークと間で個別の制御情報を送受信するために利用されるチャネルである。専用制御チャネルＤＣＣＨは、ＲＲＣ接続を有している端末装置１によって使用される。専用トラフィックチャネルＤＴＣＨは、１対１の双方向チャネルであり、１つの端末装置１に専用のチャネルであって、ユーザー情報（ユニキャストデータ）の転送のために利用される。
【０１０２】
次に、上りリンクのトランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）の機能がサポートされる。ランダムアクセスチャネルＲＡＣＨでは、制限された制御情報が送信される。
【０１０３】
次に、上りリンクの物理チャネルについて説明する。物理上りリンク制御チャネルＰＵＣＣＨは、下りリンクデータに対する応答情報（ＡＣＫ／ＮＡＣＫ）、下りリンクの無線品質情報および、上りリンクデータの送信要求（スケジューリングリクエスト：Scheduling Request：ＳＲ）等を端末装置１が基地局装置３に通知するために使用されるチャネルである。物理上りリンク共用チャネルＰＵＳＣＨは、端末装置１と基地局装置３との間で上りリンクデータを送受信するために使用されるチャネルである。物理ランダムアクセスチャネルは、端末装置１がランダムアクセスプリアンブルを基地局装置３に対して送信するために使用されるチャネルである。
【０１０４】
次に、上りリンクのチャネルマッピングについて説明する。上りリンクでは、図７に示されるようにトランスポートチャネルと物理チャネルのマッピングが行われる。上りリンク共用チャネルＵＬ−ＳＣＨは、物理上りリンク共用チャネルＰＵＳＣＨに配置される。ランダムアクセスチャネルＲＡＣＨは、物理ランダムアクセスチャネルＰＲＡＣＨに配置される。物理上りリンク制御チャネルＰＵＣＣＨは、配置されるトランスポートチャネルのない物理チャネルである。
【０１０５】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨに配置される。
【０１０６】
なお、上りリンクの論理チャネル、トランスポートチャネル、物理チャネルにおいて、前述以外のチャネルが用いられてもよい。また、前述の各種チャネルに対する説明は、説明の便宜上、適宜省略しており、本発明は前述の記載に限定されない。また、“配置される”という表現は、“対応付けられる”、“関連付けられる”という意味を適宜含む。
【０１０７】
図８は、本発明の実施形態の端末装置１及び基地局装置３の制御データを扱うプロトコルスタック（Protocol stack）（Ｃ−ｐｌａｎｅと称する）を示す図である。図９は、本発明の実施形態の端末装置１及び基地局装置３のユーザーデータを扱うプロトコルスタック（Ｕ−ｐｌａｎｅと称する）を示す図である。図８及び図９について以下で説明する。
【０１０８】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルを介して接続される。トランスポートチャネルを介して、ＭＡＣ層とＰＨＹ層とレイヤ（layer：層）間でデータが転送される。端末装置１と基地局装置３のＰＨＹ層間において、物理チャネルを介してデータの送受信が行われる。
【０１０９】
ＭＡＣ層は、多様な論理チャネルを多様なトランスポートチャネルに対してマッピングを行う。ＭＡＣ層は、上位の無線リンク制御層（Radio Link Control layer：ＲＬＣ層）とは論理チャネルを介して接続される。論理チャネルは、伝送される情報の種類によって大きく分けられ、制御情報を伝送する制御チャネルとユーザー情報を伝送するトラフィックチャネルとに分けられる。ＭＡＣ層は、間欠受信／間欠送信（ＤＲＸ／ＤＴＸ）を行うためにＰＨＹ層の制御を行う機能、ランダムアクセス手順を実行する機能、送信電力の情報（Ｐｏｗｅｒ  ｈｅａｄｒｏｏｍの情報）を通知する機能（パワーヘッドルームレポーティング）、ＨＡＲＱ制御を行う機能等を有している。
【０１１０】
ＭＡＣ層は、各論理チャネルをトランスポートチャネルに対してマッピングを行う機能を有している。この手順は論理チャネル優先順位付け（Logical Channel Prioritization：ＬＣＰ）手順と呼ばれている。基本的なＬＣＰ手順について説明する。各論理チャネルの優先度と、無線ベアラのＱｏＳに対応する、一定期間内に送信しなければならない送信ビットレート（Prioritized Bit Rate：ＰＢＲ）とを考慮して送信データの送信優先順位が決定される。そして、上りリンクグラントが割り当てられた時点での送信優先順位の高いデータからトランスポートチャネルにマッピングが行われる。基地局装置３との接続時にＭＡＣ層は、各ＲＢに対する論理チャネル番号と、それぞれの論理チャネルの優先度と、それぞれの論理チャネルに対して用いられるＰＢＲ等からなる情報をＲＲＣ層から取得する。
【０１１１】
また、ＭＡＣ層は、各論理チャネルに対応する送信バッファのデータ量をやり取りする機能を有している。この機能をバッファステータスレポーティングと言う。バッファステータスレポーティングでは、各論理チャネルが論理チャネルグループ（Logical Channel Group：ＬＣＧ）に分類され、各ＬＣＧに対する送信バッファ量（バッファステータス）がＭＡＣ層のメッセージ（バッファステータスレポート）として端末装置１と基地局装置３との間でやり取りされる。
【０１１２】
ＲＬＣ層は、上位層から転送されたデータを分割（Segmentation）及び連結(Concatenation)し、下位層が適切にデータ送信できるようにデータサイズを調節する機能を有している。また、ＲＬＣ層は、各データに対して要求されるＱｏＳ（Quality of Service）を保証するための機能も有している。すなわち、ＲＬＣ層は、データの再送制御等の機能を有している。
【０１１３】
パケットデータコンバージェンスプロトコル層（Packet Data Convergence Protocol layer：ＰＤＣＰ層）は、ユーザーデータであるＩＰパケットを無線区間で効率的に伝送するために、制御情報の圧縮を行うヘッダ圧縮機能を有している。また、ＰＤＣＰ層は、データの暗号化の機能も有している。
【０１１４】
無線リソース制御層（Radio Resource Control layer：ＲＲＣ層）は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられる。ＳＲＢは、制御情報であるＲＲＣメッセージを送信する経路として利用される。ＤＲＢは、ユーザー情報を送信する経路として利用される。基地局装置３のＲＲＣ層と端末装置１のＲＲＣ層との間で各ＲＢの設定が行われる。
【０１１５】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【０１１６】
本発明の実施形態では、基地局装置３と端末装置１との通信において、複数個の周波数帯域を束ねた通信が用いられる。束ねられる、１つの２０ＭＨｚ以下の周波数帯域はコンポーネントキャリア（Component Carrier : ＣＣ）と称す。１つのセル（Cell）は、１つの下りリンクのコンポーネントキャリアと１つの上りリンクのコンポーネントキャリア、または１つの下りリンクのコンポーネントキャリアのみから構成される。また、２０ＭＨｚ以下の帯域を束ねることは、キャリアアグリゲーション(Carrier Aggregation：ＣＡ)と称す。
【０１１７】
図１０は、本発明の実施形態の無線通信システムの構成の一例を示す図である。本発明の実施形態に係る無線通信システムでは、複数の基地局装置３（基地局装置３−１、基地局装置３−２）と、端末装置１（端末装置１−１）とが通信を行なう。以下、本実施形態において、基地局装置３−１、基地局装置３−２を基地局装置３と呼び、端末装置１−１を端末装置１と呼び、適宜説明を行なう。本発明の実施形態では、マクロセル(Macro Cell)が構成するセルとスモールセル(Small Cell)が構成するセルとを一緒に用いた通信が行われる。マクロセルを構成する基地局装置３とスモールセルを構成する基地局装置３間のバックホールがｎｏｎ−ｉｄｅａｌ  ｂａｃｋｈａｕｌであるオペレーションである、デュアルコネクティビティ（Dual Connectivity）が本発明の実施形態では用いられる。
【０１１８】
本発明の実施形態では、端末装置１が、２つの基地局装置３と同時に接続する。このオペレーションは、Ｄｕａｌ  Ｃｏｎｎｅｃｔｉｖｉｔｙと称す。Ｄｕａｌ  Ｃｏｎｎｅｃｔｉｖｉｔｙとは、マクロセルを構成する基地局装置３（第一の基地局装置）（マスター基地局装置、マスターｅＮＢ）とスモールセルを構成する基地局装置３（第二の基地局装置）（セカンダリー基地局装置、セカンダリーｅＮＢ）との間のバックホールの回線に対して無遅延とみなせる高速な回線が用いられるのではなく、遅延のある低速な回線が用いられる場合の、それらの基地局装置３と端末装置１との同時接続を意味する。マクロセルのセル（第一のセル）と、スモールセルのセル（第二のセル）とを介して、端末装置１と両基地局装置３とがデータの送受信を行う。
【０１１９】
マスターｅＮＢが構成するセルのグループは、マスターセルグループと呼称する。セカンダリーｅＮＢが構成するセルのグループは、セカンダリーセルグループと呼称する。第一のセルは、マスターセルグループのセルである。第二のセルは、セカンダリーセルグループのセルである。デュアルコネクティビティでは、端末装置１が第一の基地局装置（マスターｅＮＢ）と第二の基地局装置（セカンダリーｅＮＢ）と接続される。
【０１２０】
なお、図１０において示す基地局装置３の数、端末装置１の数は一例であり、異なる数の基地局装置３、異なる数の端末装置１が無線通信システム内に存在してもよい。なお、無線通信システムは、ネットワークの終端に位置し、外部ネットワークと接続されるゲートウェイ（Access Gataway: AG）を含み、それぞれの基地局装置３はゲートウェイと接続される。
【０１２１】
一つの基地局装置３は、一つ以上のセルを構成し、セルのオペレーションを行い、セルを管理する。セルを構成する周波数帯域は、１．２５、２．５、５、１０、１５、２０ＭＨｚなどの帯域幅のうち一つに設定される。セルでは、多くの端末装置１に下りリンク又は上りリンク送信サービスが提供される。別個のセルは、別個の帯域幅を提供するように設定されることができる。基地局装置３は、多数の端末装置１に対するデータ送受信を制御する。基地局装置３は、下りリンクデータに対して下りリンクスケジュール情報を送信し、該当の端末装置１にデータが送信される時間／周波数領域、符号化、データサイズ、ハイブリッド自動再送信要求（ＨＡＲＱ）関連情報などを知らせる。また、基地局装置３は、上りリンクデータに対して上りリンクスケジュール情報を該当の端末装置１に送信し、該当の端末装置１が使用可能な時間／周波数領域、符号化、データサイズ、ハイブリッド自動再送信要求関連情報などを知らせる。基地局装置３との間には、ユーザ情報（user traffic）又は制御情報（control traffic）を送信するためのインタフェースが使用される。たとえば、そのインタフェースは、光ファイバ、デジタル加入者線等の有線回線や、リレー技術を用いた無線回線により実現される。コア網（Core Network: CN）は、ＡＧ及び端末のユーザー登録などのためのネットワークノードなどで構成することができる。ＡＧは、複数のセルで構成される追跡範囲（Tracking Area: TA）単位で端末装置１の移動性を管理する。
【０１２２】
本発明の実施形態では、説明の便宜上、２つの基地局装置３と、１つの端末装置１との通信にフォーカスした動作、処理、方法等について説明し、一方の基地局装置３（マスターｅＮＢ）は１つのセル（マクロセル）（以降、第一のセルと称す）のみを構成し、もう一方の基地局装置３（セカンダリーｅＮＢ）は１つのセル（スモールセル）（以降、第二のセルと称す）のみを構成する場合について説明する。本発明の実施形態では、マクロセルに用いられる周波数とスモールセルに用いられる周波数は異なる。
【０１２３】
＜パワーヘッドルームレポーティング＞
ＭＡＣ層の機能である、パワーヘッドルームレポーティングについて詳細に説明する。パワーヘッドルームレポーティング（Ｐｏｗｅｒ  Ｈｅａｄｒｏｏｍ  Ｒｅｐｏｒｔｉｎｇ）は、名目上のユーザー装置最大送信電力（ｎｏｍｉｎａｌ  ＵＥ  ｍａｘｉｍｕｍ  ｔｒａｎｓｍｉｔ  ｐｏｗｅｒ）と、ＰＵＳＣＨに対する推定送信電力との差に関する情報（パワーヘッドルーム；Ｐｏｗｅｒ  Ｈｅａｄｒｏｏｍ）を端末装置１が基地局装置３に提供するための手順である。処理階層としてＲＲＣ層がパワーヘッドルームレポーティングに関するパラメータを制御し、ＭＡＣ層がパワーヘッドルームの送信を判断する。
【０１２４】
パワーヘッドルームの計算には、ＰＵＳＣＨの送信電力の設定に用いられるパスロスが用いられる。パワーヘッドルームは、ＰＵＳＣＨに対して割り当てられるリソースの帯域幅を用いて計算される。パワーヘッドルームの値は、端末装置１に予め構成される送信電力値と、所望のＰＵＳＣＨの送信電力値との差分である。所望のＰＵＳＣＨの送信電力値は、送信電力制御に用いられるパラメータを用いて、予め決められた式（アルゴリズム）を用いて計算される。例えば、所望のＰＵＳＣＨの送信電力値は、要求される品質を満たすために設定される。実際に送信されるＰＵＳＣＨの送信電力値は、端末装置１に予め構成される送信電力値と、所望のＰＵＳＣＨの送信電力値とを比較して小さい値が用いられる。端末装置１に予め構成された送信電力値は、基地局装置３が予め端末装置１に対して設定した送信電力値、または端末装置１の装置能力としての許容送信電力の上限値である。例えば、装置能力はパワーアンプのクラスと対応する。パワーヘッドルームの値は、［４０；−２３］ｄＢの範囲内で、１ｄＢステップで表現される。
【０１２５】
パワーヘッドルームは、送信電力の余地に関する情報である。名目上のユーザー装置最大送信電力と、算出されたパスロスと、パスロスに乗算される係数と、ＰＵＳＣＨに割り当てられるＵＬ  ＰＲＢ（Physical Resource Block）の数（ＰＵＳＣＨのために割り当てられたリソースの帯域幅）に基づくパラメータと、予め基地局装置３より通知されたセル固有のパラメータと、予め基地局装置３より通知されたユーザー装置固有のパラメータと、基地局装置３より通知された送信電力制御コマンドに基づくパラメータとに基づき、パワーヘッドルームの生成が行われる。なお、前述以外のパラメータが追加され、パワーヘッドルームの生成が行われてもよい。算出されたパスロスと、パスロスに乗算される係数と、ＰＵＳＣＨに割り当てられるＵＬ  ＰＲＢの数（ＰＵＳＣＨのために割り当てられたリソースの帯域幅）に基づくパラメータと、予め基地局装置３より通知されたセル固有のパラメータと、予め基地局装置３より通知されたユーザー装置固有のパラメータと、基地局装置３より通知された送信電力制御コマンドに基づくパラメータとに基づき、ＰＵＳＣＨに対する所望の送信電力が計算される。名目上のユーザー装置最大送信電力からＰＵＳＣＨに対する所望の送信電力を減算した値がパワーヘッドルームの情報で示される（パワーヘッドルームとして示される）。
【０１２６】
パワーヘッドルームレポーティングは、２つの種類に分類される。端末装置１がある基地局装置３が管理するセルの上りリンクに対するパワーヘッドルームを同一のその基地局装置３に報告する第一のパワーヘッドルームレポーティングと、端末装置１がある基地局装置３が管理するセルの上りリンクに対するパワーヘッドルームを異なる基地局装置３に報告する第二のパワーヘッドルームレポーティングとに分類される。第一のパワーヘッドルームレポーティングは、パワーヘッドルームを受け取った基地局装置３が、自身が管理するセルの上りリンクに対して端末装置１がそのセルに対する最大送信電力を超えないように端末装置１に対してスケジューリング（ＰＵＳＣＨのリソースの割り当て、送信電力制御コマンドによる制御等）を行うために用いられる。第二のパワーヘッドルームレポーティングは、パワーヘッドルームを受け取った基地局装置３が、もう一方の基地局装置３が同時に端末装置１に上りリンクのリソースのスケジューリングを行った場合に、両方のセルに対して求められる送信電力の総和が端末装置１の最大送信電力をできる限り超えないように端末装置１に対してスケジューリングを行うために用いられる。第一のパワーヘッドルームレポーティングと、第二のパワーヘッドルームレポーティングとは、独立に処理が行われる。
【０１２７】
先ず、第一のパワーヘッドルームレポーティングに関して説明する。ＲＲＣ層は、第一のパワーヘッドルームレポーティングの制御のために２種類のタイマー（ｐｅｒｉｏｄｉｃＰＨＲ−Ｔｉｍｅｒ、ｐｒｏｈｉｂｉｔＰＨＲ−Ｔｉｍｅｒ）を構成し、あるパラメータ（ｄｌ−ＰａｔｈｌｏｓｓＣｈａｎｇｅ）を構成する。構成された情報は、基地局装置３と端末装置１との間でシグナリングによりやり取りされる。パワーヘッドルームの送信を判断する一連の処理のことを、パワーヘッドルームの送信処理と称する。マクロセル（第一のセル）を構成する基地局装置３（第一の基地局装置）と、スモールセル（第二のセル）を構成する基地局装置３（第二の基地局装置）とのそれぞれに対して、パワーヘッドルームの送信処理が実行（制御）される。
【０１２８】
ｄｌ−ＰａｔｈｌｏｓｓＣｈａｎｇｅは、パスロスの値が変化した際にパワーヘッドルームの送信をトリガーするためのパラメータである。最後にパワーヘッドルームを送信した時点で測定されたパスロスと、現時点で測定されたパスロスとの変化量が、ｄｌ−ＰａｔｈｌｏｓｓＣｈａｎｇｅとの閾値判断に用いられる。ｄｌ−ＰａｔｈｌｏｓｓＣｈａｎｇｅを用いた閾値判断が行われ、測定されたパスロスの変化量がｄｌ−ＰａｔｈｌｏｓｓＣｈａｎｇｅの値を超えたら、パワーヘッドルームの送信がトリガーされる。ｄｌ−ＰａｔｈｌｏｓｓＣｈａｎｇｅの値は、ｄＢで表現され、例えば、１ｄＢ、３ｄＢ、６ｄＢ、無限（Ｉｎｆｉｎｉｔｙ）の何れかの値が用いられる。
【０１２９】
ｐｅｒｉｏｄｉｃＰＨＲ−Ｔｉｍｅｒは、ある程度定期的にパワーヘッドルームの送信をトリガーするために用いられるタイマーである。ｐｅｒｉｏｄｉｃＰＨＲ−Ｔｉｍｅｒが終了したら、パワーヘッドルームの送信がトリガーされる。パワーヘッドルームの送信が行われると、計測中のｐｅｒｉｏｄｉｃＰＨＲ−Ｔｉｍｅｒは一旦リセット、リスタートされる。ｐｅｒｉｏｄｉｃＰＨＲ−Ｔｉｍｅｒの値は、単位としてサブフレーム数で表現され、例えば、１０サブフレーム、２０サブフレーム、５０サブフレーム、１００サブフレーム、２００サブフレーム、５００サブフレーム、１０００サブフレーム、無限（Ｉｎｆｉｎｉｔｙ）の何れかの値が用いられる。
【０１３０】
ｐｒｏｈｉｂｉｔＰＨＲ−Ｔｉｍｅｒは，必要以上に頻繁にパワーヘッドルームの送信がトリガーされることを防ぐために用いられるタイマーである。ｐｒｏｈｉｂｉｔＰＨＲ−Ｔｉｍｅｒが終了せず、計測中の間は、測定されたパスロスの変化量がｄｌ−ＰａｔｈｌｏｓｓＣｈａｎｇｅの値を超えたとしても、パワーヘッドルームの送信はトリガーされない。ｐｒｏｈｉｂｉｔＰＨＲ−Ｔｉｍｅｒが終了したら、ｄｌ−ＰａｔｈｌｏｓｓＣｈａｎｇｅにより、パワーヘッドルームの送信がトリガーされうる。パワーヘッドルームの送信が行われると、計測中のｐｒｏｈｉｂｉｔＰＨＲ−Ｔｉｍｅｒは一旦リセット、リスタートされる。ｐｒｏｈｉｂｉｔＰＨＲ−Ｔｉｍｅｒの値は、単位としてサブフレーム数で表現され、例えば、０サブフレーム、１０サブフレーム、２０サブフレーム、５０サブフレーム、１００サブフレーム、２００サブフレーム、５００サブフレーム、１０００サブフレームの何れかの値が用いられる。
【０１３１】
ｐｅｒｉｏｄｉｃＰＨＲ−Ｔｉｍｅｒと、ｐｒｏｈｉｂｉｔＰＨＲ−Ｔｉｍｅｒと、ｄｌ−ＰａｔｈｌｏｓｓＣｈａｎｇｅとのパラメータが、ｐｈｒ−ＣｏｎｆｉｇというＲＲＣシグナリングの構造体を用いて、基地局装置３から端末装置１に通知される。ｐｈｒ−Ｃｏｎｆｉｇが初期設定（ｃｏｎｆｉｇｕｒａｔｉｏｎ  ｏｆ  ｐｏｗｅｒ  ｈｅａｄｒｏｏｍ  ｒｅｐｏｒｔｉｎｇ  ｆｕｎｃｔｉｏｎａｌｉｔｙ）されたら、または再設定（ｒｅｃｏｎｆｉｇｕｒａｔｉｏｎ  ｏｆ  ｐｏｗｅｒ  ｈｅａｄｒｏｏｍ  ｒｅｐｏｒｔｉｎｇ  ｆｕｎｃｔｉｏｎａｌｉｔｙ）されたら、パワーヘッドルームの送信がトリガーされる。
【０１３２】
ｐｅｒｉｏｄｉｃＰＨＲ−Ｔｉｍｅｒ、ｐｒｏｈｉｂｉｔＰＨＲ−Ｔｉｍｅｒ、ｄｌ−ＰａｔｈｌｏｓｓＣｈａｎｇｅのそれぞれが、第一のセルと第二のセルのそれぞれに対して構成される。第一のパワーヘッドルームレポーティングでは、第一のセルに対するパワーヘッドルームが第一の基地局装置に報告され（第一の基地局装置が管理するセルのＰＵＳＣＨを用いて送信され）、第二のセルに対するパワーヘッドルームが第二の基地局装置に報告される（第二の基地局装置が管理するセルのＰＵＳＣＨを用いて送信される）。
【０１３３】
次に、第二のパワーヘッドルームレポーティングに関して説明する。ＲＲＣ層は、第二のパワーヘッドルームレポーティングの制御のためにタイマーを構成する。なお、このタイマーは、第一のパワーヘッドルームレポーティングに用いられるタイマー（ｐｅｒｉｏｄｉｃＰＨＲ−Ｔｉｍｅｒ、ｐｒｏｈｉｂｉｔＰＨＲ−Ｔｉｍｅｒとは異なる）とは異なることに注意されるべきである。パラメータのシグナリングについては、例えば、マクロセルの基地局装置３（マスターｅＮＢ）が端末装置１に対してパラメータを通知し、マクロセルの基地局装置３がスモールセルの基地局装置３（セカンダリーｅＮＢ）にバックホールを介してパラメータを通知する。ＲＲＣ層は、第二のパワーヘッドルームレポーティングの制御のために、タイマーを第一のセルと第二のセルのそれぞれに対して構成する（第一のセルに対するタイマーを第一のタイマー、第二のセルに対するタイマーを第二のタイマーと称す）。第一のタイマー、第二のタイマーは、第一のセルと第二のセルとに対するパワーヘッドルームをお互いのセルにある程度周期的に報告することをトリガーするために用いられるタイマーである。
【０１３４】
第一のタイマーが終了したら、第一のセル（マクロセル）（マスターセルグループのセル）の上りリンクに対するパワーヘッドルームを第二のセル（スモールセル）（セカンダリーセルグループのセル）の上りリンクを介して送信することがトリガーされる（送信待機状態となる）。このようにして、マクロセルを構成する基地局装置３（第一の基地局装置）（マスターｅＮＢ）が管理するセルの上りリンクに対するパワーヘッドルームが、スモールセルを構成する基地局装置３（第二の基地局装置）（セカンダリーｅＮＢ）に通知される。
【０１３５】
以下のような形式でパワーヘッドルームが報告される。第一のタイマーが開始されてから、第二のセルの上りリンクを介してパワーヘッドルームが送信されるまでの複数のサブフレームの複数のパワーヘッドルームが時間平均処理（平均化）されて、平均化されたパワーヘッドルームが第二のセルの上りリンクを介して送信される。
【０１３６】
または、第一のタイマーが開始されてから、第二のセルの上りリンクを介してパワーヘッドルームが送信されるまでの複数のサブフレームに対する複数のパワーヘッドルームが第二のセルの上りリンクを介して同時に（同一のサブフレームで）送信される。複数のパワーヘッドルームが同時に送信されるという意味は、１つのＰＵＳＣＨに複数のパワーヘッドルームの情報が（一緒に）含まれて送信されるということである。１つのＰＵＳＣＨ（あるサブフレーム）で複数のサブフレームに対するパワーヘッドルームが報告されるということである。１回のパワーヘッドルームレポートに複数のサブフレームに対する複数のパワーヘッドルームの情報が示されるということである。
【０１３７】
この場合、パワーヘッドルームレポートを示すメッセージに、メッセージ内に含まれるパワーヘッドルームの個数を示す情報が含まれる。メッセージ内に含まれうるパワーヘッドルームの個数の最大値は、ＲＲＣシグナリングを用いて構成されてもよい。
【０１３８】
なお、メッセージ内に含まれうるパワーヘッドルームの個数の最大値が定義され、第一のタイマーが開始されてから、第二のセルの上りリンクを介してパワーヘッドルームが送信されるまでの複数のサブフレームに対する複数のパワーヘッドルームの個数が前述の定義された最大値を超える場合は、時間タイミングで直近のパワーヘッドルームから定義された最大値の個数分のパワーヘッドルームがメッセージに含まれるようにしてもよい。例えば、メッセージ内に含まれうるパワーヘッドルームの個数の最大値が３とする。第一のタイマーが開始されてから、第二のセルの上りリンクを介してパワーヘッドルームが送信されるまでに、第一のセルの上りリンクを介して４回（４つのサブフレームで）ＰＵＳＣＨが送信されている場合、パワーヘッドルームのメッセージが送信される時点から直近の３つのＰＵＳＣＨのそれぞれに対するパワーヘッドルームがメッセージに含まれて、第二のセルの上りリンクを介して送信される。
【０１３９】
なお、メッセージ内に含まれうるパワーヘッドルームの個数の最大値が定義され、第一のタイマーが開始されてから、第二のセルの上りリンクを介してパワーヘッドルームが送信されるまでの複数のサブフレームに対する複数のパワーヘッドルームの個数が前述の定義された最大値を超える場合は、パワーヘッドルームの値が最大の値のパワーヘッドルームから順に定義された最大値の個数分のパワーヘッドルームがメッセージに含まれるようにしてもよい。例えば、メッセージ内に含まれうるパワーヘッドルームの個数の最大値が３とする。第一のタイマーが開始されてから、第二のセルの上りリンクを介してパワーヘッドルームが送信されるまでに、第一のセルの上りリンクを介して４回（４つのサブフレームで）ＰＵＳＣＨが送信されているとする。それぞれのＰＵＳＣＨに対するそれぞれのパワーヘッドルームの値が２０ｄＢ、１０ｄＢ、５ｄＢ、１５ｄＢである場合、メッセージに含まれるパワーヘッドルームは、２０ｄＢ、１５ｄＢ、１０ｄＢとなる。
【０１４０】
または、第一のタイマーが開始されてから、第二のセルの上りリンクを介してパワーヘッドルームが送信されるまでの複数のサブフレームに対する複数のパワーヘッドルームに関して最大値のパワーヘッドルームと最小値のパワーヘッドルームとが第二のセルの上りリンクを介して送信される。例えば、第一のタイマーが開始されてから、第二のセルの上りリンクを介してパワーヘッドルームが送信されるまでに、第一のセルの上りリンクを介して３回（３つのサブフレームで）ＰＵＳＣＨが送信され、それぞれのＰＵＳＣＨに対するパワーヘッドルームの値が３０ｄＢ、５ｄＢ、−１０ｄＢであるとする。この場合、最大値は３０ｄＢ、最小値は−１０ｄＢであり、第二のセルの上りリンクを介して報告されるパワーヘッドルームのメッセージには、パワーヘッドルームの最大値として３０ｄＢ、パワーヘッドルームの最小値として−１０ｄＢを示す情報が含まれる。また、第一のタイマーが開始されてから、第二のセルの上りリンクを介してパワーヘッドルームが送信されるまでの複数のサブフレームに対する複数のパワーヘッドルームに関して最大値のパワーヘッドルームのみが第二のセルの上りリンクを介して送信されてもよい。
【０１４１】
また、上記のパワーヘッドルームの形式の何れが使用されるかを示す情報がＲＲＣシグナリングを用いて端末装置１と基地局装置３間でやり取りされ、何れかの形式が構成されてもよい。
【０１４２】
第二の基地局装置は、第一の基地局装置が管理するセル（第一のセル）の上りリンクに対する前述の形式のパワーヘッドルームから、第二の基地局装置３が管理するセル（第二のセル）の上りリンクに対して許容される平均的な送信電力の値を推定し、第二の基地局装置が管理するセルの上りリンクに対する端末装置１のスケジューリングに考慮することができる。第二の基地局装置は、第一の基地局装置が管理するセル（第一のセル）の上りリンクに対する前述の形式のパワーヘッドルームから、第二の基地局装置３が管理するセル（第二のセル）の上りリンクに対して許容される最大の送信電力の値を推定し、第二の基地局装置が管理するセルの上りリンクに対する端末装置１のスケジューリングに考慮することができる。
【０１４３】
このようにして、第一の基地局装置が管理するセルの上りリンクと第二の基地局装置が管理するセルの上りリンクとに対して端末装置１が同時に信号を送信する場合に、端末装置１において送信可能な送信電力をできる限り有効利用し、さらに端末装置１において最大送信電力をできる限り超えないように、第一の基地局装置と第二の基地局装置とが端末装置１に対して協調してスケジューリングを行うことが可能となり、効率の良いスケジューリングを実現することができる。
【０１４４】
第二のタイマーが終了したら、第二のセル（スモールセル）（セカンダリーセルグループのセル）の上りリンクに対するパワーヘッドルームを第一のセル（マクロセル）（マスターセルグループのセル）の上りリンクを介して送信することがトリガーされる（送信待機状態となる）。第二のタイマーが開始されてから、第一のセルの上りリンクを介してパワーヘッドルームが送信されるまでの複数のサブフレームのパワーヘッドルームに関する情報が第一のセルの上りリンクを介して送信される。報告されるパワーヘッドルームの形式は、前述のように、第一のセルの上りリンクに対するパワーヘッドルームと同様の形式が用いられる。このようにして、スモールセルを構成する基地局装置３（第二の基地局装置）（セカンダリーｅＮＢ）が管理するセルの上りリンクに対するパワーヘッドルームが、マクロセルを構成する基地局装置３（第一の基地局装置）（マスターｅＮＢ）に通知される。
【０１４５】
第一の基地局装置は、第二の基地局装置が管理するセル（第二のセル）の上りリンクに対する前述の形式のパワーヘッドルームから、第一の基地局装置が管理するセル（第一のセル）の上りリンクに対して許容される平均的な送信電力の値を推定し、第一の基地局装置が管理するセルの上りリンクに対する端末装置１のスケジューリングに考慮することができる。第一の基地局装置は、第二の基地局装置が管理するセル（第二のセル）の上りリンクに対する前述の形式のパワーヘッドルームから、第一の基地局装置が管理するセル（第一のセル）の上りリンクに対して許容される最大の送信電力の値を推定し、第一の基地局装置が管理するセルの上りリンクに対する端末装置１のスケジューリングに考慮することができる。
【０１４６】
このようにして、第一の基地局装置が管理するセルの上りリンクと第二の基地局装置が管理するセルの上りリンクとに対して端末装置１が同時に信号を送信する場合に、端末装置１において送信可能な送信電力をできる限り有効利用し、さらに端末装置１において最大送信電力をできる限り超えないように、第一の基地局装置と第二の基地局装置とが端末装置１に対して協調してスケジューリングを行うことが可能となり、効率の良いスケジューリングを実現することができる。
【０１４７】
例えば、端末装置１は、第一の基地局装置にＰＵＳＣＨを用いて信号を送信した場合のパワーヘッドルームのみを用いて平均化したパワーヘッドルームを第二の基地局装置に報告する。端末装置１は、第一の基地局装置にＰＵＳＣＨを用いて信号を送信したサブフレームに対するパワーヘッドルームを計算し、第一の基地局装置にＰＵＳＣＨを用いて信号を送信していないサブフレームではパワーヘッドルームの計算を行わず、計算されたパワーヘッドルームのみを複数サブフレームで平均化し、平均化したパワーヘッドルームを第二の基地局装置に報告する。
【０１４８】
端末装置１が第一の基地局装置にＰＵＳＣＨを用いて信号を送信していないサブフレームでは、端末装置１に予め構成された送信電力値が送信電力の余地にそのまま相当し、端末装置１が第一の基地局装置にＰＵＳＣＨを用いて信号を送信していないサブフレームもパワーヘッドルームの平均化に用いると、平均化されたパワーヘッドルームは第一の基地局装置のスケジューリングの結果を適切に反映することができない結果となる。例えば、平均化されたパワーヘッドルームの値が大きな値を示している場合、第二の基地局装置は、第一の基地局装置が端末装置１に対して複数のサブフレームでＰＵＳＣＨのリソースを割り当てなかったから前記パワーヘッドルームの値が大きな値を示しているのか、第一の基地局装置が端末装置１に対してそれぞれのサブフレームでＰＵＳＣＨのリソースを少ししか割り当てなかったから前記パワーヘッドルームの値が大きな値を示しているのか判断することができない。前者の場合、第一の基地局装置は、端末装置１にＰＵＳＣＨのリソースを割り当てたサブフレームでは、非常に多くのＰＵＳＣＨのリソースを割り当てているかもしれない。例えば、端末装置１にＰＵＳＣＨのリソースを非常に多く割り当てたサブフレームが１つだけで、他のサブフレームで第一の基地局装置が端末装置１に対してＰＵＳＣＨのリソースを割り当てなかった場合、全てのサブフレームにおけるパワーヘッドルームを平均化すると、平均化されたパワーヘッドルームの値は大きな値を示してしまう。
【０１４９】
例えば、１０個のサブフレーム（サブフレーム１、サブフレーム２、サブフレーム３、サブフレーム４、サブフレーム５、サブフレーム６、サブフレーム７、サブフレーム８、サブフレーム９、サブフレーム１０）におけるパワーヘッドルームの平均化処理について説明する。サブフレーム１、サブフレーム４、サブフレーム９において端末装置１は第一の基地局装置にＰＵＳＣＨを用いて信号を送信し、サブフレーム２、サブフレーム３、サブフレーム５、サブフレーム６、サブフレーム７、サブフレーム８、サブフレーム１０において端末装置１は第一の基地局装置にＰＵＳＣＨを用いて信号を送信しない。サブフレーム１における第一の基地局装置が管理する第一のセルの上りリンクに対するパワーヘッドルームをパワーヘッドルーム１、サブフレーム４における第一の基地局装置が管理する第一のセルの上りリンクに対するパワーヘッドルームをパワーヘッドルーム４、サブフレーム９における第一の基地局装置が管理する第一のセルの上りリンクに対するパワーヘッドルームをパワーヘッドルーム９とする。端末装置１は、パワーヘッドルーム１とパワーヘッドルーム４とパワーヘッドルーム９との平均化処理を行い、平均化したパワーヘッドルームをサブフレーム１０において第二の基地局装置が管理する第二のセルの上りリンクを介して第二の基地局装置に報告する。
【０１５０】
端末装置１が複数サブフレームのパワーヘッドルーム値を平均化して報告せず、それぞれのサブフレームのパワーヘッドルームを示す情報をメッセージに含めて同時に（同一のサブフレームで）送信する場合は、端末装置１は、メッセージに含まれるパワーヘッドルームの個数として３を示す情報と、パワーヘッドルーム１と、パワーヘッドルーム４と、パワーヘッドルーム９とをサブフレーム１０において第二の基地局装置が管理する第二のセルの上りリンクを介して第二の基地局装置に報告する。
【０１５１】
端末装置１が複数サブフレームのパワーヘッドルーム値を平均化して報告せず、複数のパワーヘッドルームの最大値と最小値を示す情報をメッセージに含めて送信する場合は、端末装置１は、パワーヘッドルーム１とパワーヘッドルーム４とパワーヘッドルーム９の中で最大の値を示すパワーヘッドルームと最小の値を示すパワーヘッドルームとをサブフレーム１０において第二の基地局装置が管理する第二のセルの上りリンクを介して第二の基地局装置に報告する。端末装置１が複数サブフレームのパワーヘッドルーム値を平均化して報告せず、複数のパワーヘッドルームの最大値を示す情報をメッセージに含めて送信する場合は、端末装置１は、パワーヘッドルーム１とパワーヘッドルーム４とパワーヘッドルーム９の中で最大の値を示すパワーヘッドルームを示すパワーヘッドルームをサブフレーム１０において第二の基地局装置が管理する第二のセルの上りリンクを介して第二の基地局装置に報告する。
【０１５２】
第二の基地局装置は、第一の基地局装置が管理するセル（第一のセル）の上りリンクに対する前述の形式のパワーヘッドルームから、第二の基地局装置が管理するセル（第二のセル）の上りリンクに対して許容される平均的な送信電力の値を推定し、第二の基地局装置が管理するセルの上りリンクに対する端末装置１のスケジューリングに考慮することができる。第二の基地局装置は、第一の基地局装置が管理するセル（第一のセル）の上りリンクに対する前述の形式のパワーヘッドルームから、第二の基地局装置が管理するセル（第二のセル）の上りリンクに対して許容される最大の送信電力の値を推定し、第二の基地局装置が管理するセルの上りリンクに対する端末装置１のスケジューリングに考慮することができる。
【０１５３】
このようにして、第一の基地局装置が管理するセルの上りリンクと第二の基地局装置が管理するセルの上りリンクとに対して端末装置１が同時に信号を送信する場合に、端末装置１において送信可能な送信電力をできる限り有効利用しつつ、さらに端末装置１において最大送信電力をできる限り超えないように、第一の基地局装置と第二の基地局装置とが端末装置１に対して協調してスケジューリングを行うことが可能となり、効率の良いスケジューリング（リソース割り当て）を実現することができる。
【０１５４】
例えば、端末装置１は、第二の基地局装置にＰＵＳＣＨを用いて信号を送信した場合のパワーヘッドルームのみを用いて平均化したパワーヘッドルームを第一の基地局装置に報告する。端末装置１は、第二の基地局装置にＰＵＳＣＨを用いて信号を送信したサブフレームに対するパワーヘッドルームを計算し、第二の基地局装置にＰＵＳＣＨを用いて信号を送信していないサブフレームではパワーヘッドルームの計算を行わず、計算されたパワーヘッドルームのみを複数サブフレームで平均化し、平均化したパワーヘッドルームを第一の基地局装置に報告する。
【０１５５】
例えば、端末装置１は、複数サブフレームのパワーヘッドルーム値を平均化して報告せず、それぞれのサブフレームのパワーヘッドルームを示す情報をメッセージ（パワーヘッドルームレポート）に含めて同時に（同一のサブフレームで）第一の基地局装置に送信する
【０１５６】
例えば、端末装置１は、複数サブフレームのパワーヘッドルーム値を平均化して報告せず、複数のパワーヘッドルームの最大値と最小値とを示す情報をメッセージに含めて第一の基地局装置に送信する。例えば、端末装置１は、複数サブフレームのパワーヘッドルーム値を平均化して報告せず、複数のパワーヘッドルームの最大値を示す情報をメッセージに含めて第一の基地局装置に送信する。
【０１５７】
例えば、端末装置１は、第一の基地局装置が管理するセル（第一のセル）の上りリンクに対するパワーヘッドルームを第二の基地局装置に報告する際、報告されるパワーヘッドルームの計算に用いるパワーヘッドルームが１つしかない場合は、複数サブフレームに対する平均化処理を行わず、１つしかないパワーヘッドルームを第二の基地局装置に報告する。端末装置１は、第二の基地局装置が管理するセル（第二のセル）の上りリンクに対するパワーヘッドルームを第一の基地局装置に報告する際、報告されるパワーヘッドルームの計算に用いるパワーヘッドルームが１つしかない場合は、複数サブフレームに対する平均化処理を行わず、１つしかないパワーヘッドルームを第一の基地局装置に報告する。
【０１５８】
例えば、１０個のサブフレーム（サブフレーム１、サブフレーム２、サブフレーム３、サブフレーム４、サブフレーム５、サブフレーム６、サブフレーム７、サブフレーム８、サブフレーム９、サブフレーム１０）におけるパワーヘッドルームの平均化処理について説明する。サブフレーム４において端末装置１は第一の基地局装置にＰＵＳＣＨを用いて信号を送信し、サブフレーム１、サブフレーム２、サブフレーム３、サブフレーム５、サブフレーム６、サブフレーム７、サブフレーム８、サブフレーム９、サブフレーム１０において端末装置１は第一の基地局装置にＰＵＳＣＨを用いて信号を送信しない。サブフレーム４における第一の基地局装置が管理する第一のセルの上りリンクに対するパワーヘッドルームをパワーヘッドルーム４とする。端末装置１は、パワーヘッドルーム４をサブフレーム１０において第二の基地局装置が管理する第二のセルの上りリンクを介して第二の基地局装置に報告する。
【０１５９】
例えば、端末装置１は、第一の基地局装置が管理するセル（第一のセル）の上りリンクに対するパワーヘッドルームを第二の基地局装置に報告する際、報告されるパワーヘッドルームの計算に用いるパワーヘッドルームが１つしかない場合は、１個のパワーヘッドルームがメッセージに含まれるということを示す情報と、１個のパワーヘッドルームとを第一の基地局装置に報告する。例えば、端末装置１は、第二の基地局装置が管理するセル（第二のセル）の上りリンクに対するパワーヘッドルームを第一の基地局装置に報告する際、報告されるパワーヘッドルームの計算に用いるパワーヘッドルームが１つしかない場合は、１個のパワーヘッドルームがメッセージに含まれるということを示す情報と、１個のパワーヘッドルームとを第二の基地局装置に報告する。
【０１６０】
例えば、端末装置１は、第一の基地局装置が管理するセル（第一のセル）の上りリンクに対するパワーヘッドルームを第二の基地局装置に報告する際、報告されるパワーヘッドルームの計算に用いるパワーヘッドルームが１つしかない場合は、パワーヘッドルームの最大値と最小値の両方に対して、１つしかないパワーヘッドルームの値を設定して第一の基地局装置に報告する。例えば、端末装置１は、第二の基地局装置が管理するセル（第二のセル）の上りリンクに対するパワーヘッドルームを第一の基地局装置に報告する際、報告されるパワーヘッドルームの計算に用いるパワーヘッドルームが１つしかない場合は、パワーヘッドルームの最大値と最小値の両方に対して、１つしかないパワーヘッドルームの値を設定して第二の基地局装置に報告する。
【０１６１】
端末装置１は、第一のタイマーの満了以前に第一の基地局装置にＰＵＳＣＨを用いて信号を送信しなかった場合は、第一の基地局装置にＰＵＳＣＨを用いて信号を送信するまで第一の基地局装置の上りリンクの信号に対するパワーヘッドルームを第二の基地局装置に報告することを延期する。
【０１６２】
第一のタイマーが満了するが、第一のタイマーが開始されてから第一のタイマーが満了するまでの間に端末装置１が第一の基地局装置にＰＵＳＣＨを用いて信号を送信していなかった場合は、第一のタイマーの満了のみで第一の基地局装置の上りリンクの信号に対するパワーヘッドルームを第二の基地局装置に報告するきっかけとはならない。第一のタイマーの満了後、端末装置１が第一の基地局装置にＰＵＳＣＨを用いて信号を送信する事象の発生により、第一の基地局装置の上りリンクの信号に対するパワーヘッドルームを第二の基地局装置に報告することがトリガーされる。第一のタイマーの満了後、端末装置１が第一の基地局装置にＰＵＳＣＨを用いて信号を送信するサブフレームにおいて、第二の基地局装置にＰＵＳＣＨを用いて信号を送信する場合は、このサブフレームにおいて第一の基地局装置の上りリンクの信号に対するパワーヘッドルームが第二の基地局装置に報告される。第一のタイマーの満了後、端末装置１が第一の基地局装置にＰＵＳＣＨを用いて信号を送信するサブフレームにおいて、第二の基地局装置にＰＵＳＣＨを用いて信号を送信しない場合は、このサブフレーム以降、第二の基地局装置にＰＵＳＣＨを用いて信号を送信するサブフレームにおいて第一の基地局装置の上りリンクの信号に対するパワーヘッドルームが第二の基地局装置に報告される。
【０１６３】
端末装置１は、第二のタイマーの満了以前に第二の基地局装置にＰＵＳＣＨを用いて信号を送信しなかった場合は、第二の基地局装置にＰＵＳＣＨを用いて信号を送信するまで第二の基地局装置の上りリンクの信号に対するパワーヘッドルームを第一の基地局装置に報告することを延期する。
【０１６４】
第二のタイマーが満了するが、第二のタイマーが開始されてから第二のタイマーが満了するまでの間に端末装置１が第二の基地局装置にＰＵＳＣＨを用いて信号を送信していなかった場合は、第二のタイマーの満了のみで第二の基地局装置の上りリンクの信号に対するパワーヘッドルームを第一の基地局装置に報告するきっかけとはならない。第二のタイマーの満了後、端末装置１が第二の基地局装置にＰＵＳＣＨを用いて信号を送信する事象の発生により、第二の基地局装置の上りリンクの信号に対するパワーヘッドルームを第一の基地局装置に報告することがトリガーされる。第二のタイマーの満了後、端末装置１が第二の基地局装置にＰＵＳＣＨを用いて信号を送信するサブフレームにおいて、第一の基地局装置にＰＵＳＣＨを用いて信号を送信する場合は、このサブフレームにおいて第二の基地局装置の上りリンクの信号に対するパワーヘッドルームが第一の基地局装置に報告される。第二のタイマーの満了後、端末装置１が第二の基地局装置にＰＵＳＣＨを用いて信号を送信するサブフレームにおいて、第一の基地局装置にＰＵＳＣＨを用いて信号を送信しない場合は、このサブフレーム以降、第一の基地局装置にＰＵＳＣＨを用いて信号を送信するサブフレームにおいて第二の基地局装置の上りリンクの信号に対するパワーヘッドルームが第一の基地局装置に報告される。
【０１６５】
[構成説明]
図１は、本発明の実施形態に係る端末装置１の構成を示す図である。端末装置１は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＰＨＹ制御部１１７、ＭＡＣ制御部１１９、データ処理部１２１、および、ＲＲＣ制御部１２３から構成される。
【０１６６】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【０１６７】
送信データ記憶部１０３は、データ生成部１０１から入力された各論理チャネルのデータを蓄積し、ＭＡＣ制御部１１９からの指示に基づいて指示されたデータを指示された量分だけ送信ＨＡＲＱ処理部１０５に出力する。また、送信データ記憶部１０３は、ＭＡＣ制御部１１９からの指示に基づいて蓄積されたデータの量に関する情報をＭＡＣ制御部１１９に出力する。
【０１６８】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある符号化したデータに対して前回に行なったパンクチャパターンとは異なるパンクチャ処理を行い、パンクチャしたデータを送信処理部１０７に出力する。
【０１６９】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１０９に出力する。
【０１７０】
また、送信処理部１０７は、ＰＨＹ制御部１１７から受信データの応答指示があった場合、ＡＣＫまたはＮＡＣＫ信号を生成し、生成した信号を上りリンクの各コンポーネントキャリア（セル）の物理上りリンク制御チャネル（ＰＵＣＣＨ）に配置し、無線部１０９に出力する。送信処理部１０７は、ＰＨＹ制御部１１７からスケジューリングリクエストの送信指示があった場合、スケジューリングリクエスト信号を生成し、生成した信号を上りリンクの一つまたは複数のコンポーネントキャリア（セル）の物理上りリンク制御チャネル（ＰＵＣＣＨ）に配置し、無線部１０９に出力する。送信処理部１０７は、ＰＨＹ制御部１１７からランダムアクセスプリアンブルの送信指示があった場合、ランダムアクセスプリアンブルを生成し、生成した信号を物理ランダムアクセスチャネル（ＰＲＡＣＨ）に配置し、無線部１０９に出力する。
【０１７１】
無線部１０９は、送信処理部１０７から入力されたデータをＰＨＹ制御部１１７から指示された無線周波数にアップコンバートし、送信電力を調整して、送信アンテナからデータを送信する。また、無線部１０９は、受信アンテナより受信した無線信号をダウンコンバートし、受信処理部１１１に出力する。
【０１７２】
受信処理部１１１は、無線部１０９から入力された信号に対してＦＦＴ（Fast Fourier Transform（高速フーリエ変換））処理、復号化処理、復調処理等を行なう。受信処理部１１１は、復調したデータの中で物理下りリンク共用チャネル（ＰＤＳＣＨ）のデータを受信ＨＡＲＱ処理部１１３に出力する。また、受信処理部１１１は、復調したデータの中で物理下りリンク制御チャネル（ＰＤＣＣＨ）から取得した制御データの上りリンク送信許可情報（Uplink grant:上りリンクグラント）をＭＡＣ制御部１１９に出力する。尚、上りリンク送信許可情報は、データの変調・符号化方式、データサイズ情報、ＨＡＲＱ情報、リソース割り当て情報などがある。
【０１７３】
受信ＨＡＲＱ処理部１１３は、受信処理部１１１からの入力データに対して復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。なお、データの復号処理に成功するとは、ＣＲＣ（Cyclic Redundancy Check）で誤りが検出されなかったことを意味する。なお、データの復号処理に失敗するとは、ＣＲＣで誤りが検出されたことを意味する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【０１７４】
ＭＡＣ情報抽出部１１５は、受信ＨＡＲＱ処理部１１３から入力されたデータからＭＡＣ層（Medium Access Control layer）の制御データを抽出し、抽出した制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの伸張（復元）機能や暗号化されたデータの復号機能、データの分割及び結合等の処理を行う。データ処理部１２１は、処理するデータをＲＲＣメッセージとユーザーデータに分け、ＲＲＣメッセージをＲＲＣ制御部１２３に出力し、ユーザーデータを上位層に出力する。
【０１７５】
ＰＨＹ制御部１１７は、ＭＡＣ制御部１１９からの指示により送信処理部１０７、無線部１０９、および、受信処理部１１１を制御する。たとえば、ＰＨＹ制御部１１７は、ＭＡＣ制御部１１９から通知された変調・符号化方式、送信電力情報などから送信処理部１０７、送信無線部１０９に制御情報を通知する。
【０１７６】
ＭＡＣ制御部１１９は、ＲＲＣ制御部１２３から転送されたデータ制御設定および送信データ記憶部１０３から取得したデータ量情報および受信処理部１１１から取得した上りリンク送信許可情報をもとにデータ送信先およびデータ送信優先順位を決定し、送信するデータに関する情報を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式などの情報を出力する。
【０１７７】
ＭＡＣ制御部１１９は、送信データ記憶部１０３からデータの蓄積状態の変化を通知されるとバッファステータスレポートをトリガする。また、ＭＡＣ制御部１１９は、受信処理部１１１から上りリンク送信許可情報を取得すると再送信タイマーおよび周期タイマーをスタートまたはリスタートする。再送信タイマーが満了し、送信データ記憶部１０３に各論理チャネルのデータが残っている場合、ＭＡＣ制御部１１９は、バッファステータスレポートをトリガする。周期タイマーが満了した場合、ＭＡＣ制御部１１９は、バッファステータスレポートをトリガする。
【０１７８】
ＭＡＣ制御部１１９は、バッファステータスレポートがトリガされた状態で、受信処理部１１１から上りリンク送信許可情報を取得した場合、送信データ記憶部１０３に各論理チャネルのデータの蓄積量を報告するように指示する。ＭＡＣ制御部１１９は、送信データ記憶部１０３から各論理チャネルのデータの蓄積量の情報を取得すると、バッファステータスレポートを作成し、作成したバッファステータスレポートを送信データ記憶部１０３に出力する。
【０１７９】
ＭＡＣ制御部１１９は、バッファステータスレポートがトリガされた状態で、上りリンク送信許可情報を取得していない場合、スケジューリングリクエストの送信を決定し、ＰＨＹ制御部１１７にスケジューリングリクエスト送信を指示する。ＭＡＣ制御部１１９は、スケジューリングリクエストに対応する上りリンク送信許可情報を取得した場合、バッファステータスレポートを作成し、作成したバッファステータスレポートを送信データ記憶部１０３に出力する。
【０１８０】
ＭＡＣ制御部１１９は、スケジューリングリクエストの送信回数をカウントして、スケジューリングリクエストの送信回数が最大送信回数に達しても上りリンク送信許可情報を取得しない場合、ランダムアクセスプリアンブル送信をＰＨＹ制御部１１７に指示する。また、ＭＡＣ制御部１１９は、ＲＲＣ制御部１２３に自装置に割り当てられている上りリンク無線リソースの解放を通知する。
【０１８１】
ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【０１８２】
また、ＭＡＣ制御部１１９は、ＭＡＣ層の機能を持ち、ＭＡＣ情報抽出部１１５から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御及びＤＲＸ制御のために、無線部１０９、送信処理部１０７及び受信処理部１１１の制御を行うようＰＨＹ制御部１１７に指示する。
【０１８３】
ＭＡＣ制御部１１９は、送信タイミングタイマーを用いて上りリンクの送信タイミングの有効・無効を管理する。ＭＡＣ制御部１１９は、セル毎または送信タイミンググループ毎に送信タイミングタイマーを持ち、セル毎または送信タイミンググループ毎に送信タイミング情報を適用した場合に対応する送信タイミングタイマーをスタートまたはリスタートさせる。ＭＡＣ制御部１１９は、送信タイミングタイマーが満了した場合、送信タイミングタイマーが満了したセルに対する上りリンク送信を停止する。
【０１８４】
ＭＡＣ制御部１１９は、ＭＡＣ情報抽出部１１５から入力されたＭＡＣ制御情報の中で送信タイミング情報をＰＨＹ制御部１１７へ出力する。ＭＡＣ制御部１１９は、上りリンク送信タイミングを管理し、ＰＨＹ制御部１１７を制御する。
【０１８５】
ＭＡＣ制御部１１９は、パワーヘッドルームレポーティングの処理を行う。ＭＡＣ制御部１１９は、ＲＲＣ制御部１２３から通知された各種パラメータ（第一のタイマー、第二のタイマー）（メッセージに含まれるパワーヘッドルームの個数の最大値）に基づき、マクロセル（第一のセル）を構成する基地局装置３（第一の基地局装置）が管理するセルに対するパワーヘッドルームレポーティングの処理（パワーヘッドルームの報告のトリガーの判断）、スモールセル（第二のセル）を構成する基地局装置３（第二の基地局装置）が管理するセルに対するパワーヘッドルームレポーティングの処理を行う（パワーヘッドルームの報告のトリガーの判断）。ＭＡＣ制御部１１９は、ＲＲＣ制御部１２３から通知された各種パラメータ、受信処理部１１１から通知されたパスロス、上りリンク送信許可情報で示されたパラメータ等に基づき、パワーヘッドルーム（複数のサブフレームのパワーヘッドルームの平均値）（複数のサブフレームに対する複数のパワーヘッドルーム）（複数のサブフレームのパワーヘッドルームの最大値と最小値）（複数のサブフレームのパワーヘッドルームの最大値）を生成する。生成されたパワーヘッドルームは、送信データ記憶部１０３に出力され、ユーザデータと多重されて送信される。
【０１８６】
ＲＲＣ制御部１２３は、基地局装置３とのＲＲＣ接続及び接続解放処理、キャリアアグリゲーションの設定、制御データおよびユーザーデータのデータ制御設定など第一の基地局装置及び第二の基地局装置と通信を行うための各種設定を行う。ＲＲＣ制御部１２３は、前記各種設定に伴う上位層との情報のやり取りを行い、前記各種設定に伴う下位層の制御を行う。ＲＲＣ制御部１２３は、基地局装置３から割り当てられた各セルの無線リソースを管理する。
【０１８７】
ＲＲＣ制御部１２３は、ＲＲＣメッセージ（ＲＲＣシグナリング）を作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、ＭＡＣ層に必要な情報をＭＡＣ制御部１１９に出力し、物理層に必要な情報をＰＨＹ制御部１１７に出力する。
【０１８８】
ＲＲＣ制御部１２３は、パワーヘッドルームレポーティングに関する情報、各データの論理チャネル、各データの論理チャネルの優先度、各制御データの論理チャネルと論理チャネルグループの関係を示した情報、基地局装置（またはセル、セルグループ）と論理チャネルとの関係情報、再送信タイマー、周期タイマー等のデータ制御設定情報を取得した場合、ＭＡＣ制御部１１９に各種制御情報（第一のタイマー、第二のタイマー等のパワーヘッドルームレポーティングに関する各種パラメータを含む）を出力する。また、ＲＲＣ制御部１２３は、第一の基地局装置と第二の基地局装置とのデュアルコネクティビティによる通信を行うと認識した場合、その旨をＭＡＣ制御部１１９に通知する。
【０１８９】
ＲＲＣ制御部１２３は、ＭＡＣ層から上りリンク無線リソースの解放を通知された場合、対象となるセルに割り当てられている物理上りリンク制御チャネルＰＵＣＣＨ、上りリンク参照信号等の上りリンクの無線リソースを解放する。
【０１９０】
尚、送信処理部１０７、無線部１０９、受信処理部１１１、ＰＨＹ制御部１１７は、物理層の動作を行い、送信データ記憶部１０３、送信ＨＡＲＱ処理部１０５、受信ＨＡＲＱ処理部１１３、ＭＡＣ情報抽出部１１５、ＭＡＣ制御部１１９は、ＭＡＣ層の動作を行い、データ生成部１０１及びデータ処理部１２１は、ＲＬＣ層及びＰＤＣＰ層の動作を行い、ＲＲＣ制御部１２３はＲＲＣ層の動作を行う。
【０１９１】
図２は、本発明の実施形態に係る基地局装置３の構成を示す図である。基地局装置３は、データ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１、ＲＲＣ制御部２２３、基地局装置間通信部２２５、ＭＭＥ通信部２２７、および、ＧＷ通信部２２９から構成される。
【０１９２】
ＧＷ通信部２２９からユーザーデータがデータ生成部２０１に入力される。ＲＲＣ制御２２３から制御データがデータ生成部２０１に入力される。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報とを送信データ記憶部２０３に出力する。
【０１９３】
送信データ記憶部２０３は、データ生成部２０１から入力されたデータをユーザー（端末装置１）毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、蓄積されたデータの量に関する情報をＭＡＣ制御部２１９に出力する。
【０１９４】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７に出力し、符号化したデータを保存する。送信ＨＡＲＱ処理部２０５は、ＭＡＣ制御部２１９からデータの再送を指示された場合、保存してある符号化したデータから前回に行なったパンクチャパターンとは異なるパンクチャ処理を行い、パンクチャしたデータを送信処理部２０７に出力する。
【０１９５】
送信処理部２０７は、送信ＨＡＲＱ処理部２０５から入力されたデータに変調・符号化を行なう。送信処理部２０７は、変調・符号化されたデータを各セルの物理下りリンク制御チャネル（ＰＤＣＣＨ）、下りリンク同期信号、物理報知チャネル（ＰＢＣＨ）、物理下りリンク共用チャネル（ＰＤＳＣＨ）などの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１９６】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を無線部２０９に出力する。なお、下りリンクで送信されるＡＣＫまたはＮＡＣＫ信号は、物理ハイブリッド自動再送指示チャネル（ＰＨＩＣＨ：Physical Hybrid Indicator Channel）で送受信される。送信処理部２０７は、ＰＨＹ制御部２１７から通知された上りリンク送信許可情報を物理下りリンク制御チャネル（ＰＤＣＣＨ）に配置し、無線部２０９に出力する。
【０１９７】
無線部２０９は、送信処理部２０７から入力されたデータを無線周波数にアップコンバートし、送信電力を調整して、送信アンテナから送信する。また、無線部２０９は、受信アンテナより受信した無線信号をダウンコンバートし、受信処理部２１１に出力する。受信処理部２１１は、無線部２０９から入力された信号に対してＦＦＴ（Fast Fourier Transform（高速フーリエ変換））処理、復号化処理、復調処理等を行なう。
【０１９８】
受信処理部２１１は、復調したデータの中で物理上りリンク共用チャネル（ＰＵＳＣＨ）のデータを受信ＨＡＲＱ処理部２１３に出力する。また、受信処理部２１１は、復調したデータの中で物理上りリンク制御チャネル（ＰＵＣＣＨ）から取得した制御データの下りリンク送信データの応答情報（ＡＣＫ／ＮＡＣＫ）、下りリンク無線チャネル品質情報（ＣＱＩ）及び上りリンク送信要求情報（スケジューリングリクエスト）をＭＡＣ制御部２１９に出力する。
【０１９９】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。
【０２００】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。ＭＡＣ層の制御データには、パワーヘッドルームレポート、バッファステータスレポートなどがある。データ処理部２２１は、ＰＤＣＰ層、ＲＬＣ層の機能を持ち、圧縮されたＩＰヘッダの伸張（復元）機能や暗号化されたデータの復号機能、データの分割及び結合等の処理を行う。データ処理部２２１は、処理するデータをＲＲＣメッセージとユーザーデータに分け、ＲＲＣメッセージをＲＲＣ制御部２２３に出力し、ユーザーデータを上位層に出力する。
【０２０１】
ＰＨＹ制御部２１７は、ＭＡＣ制御部２１９からの指示により送信処理部２０７、無線部２０９、および、受信処理部２１１を制御する。たとえば、ＰＨＹ制御部２１７は、ＭＡＣ制御部２１９から通知された上りリンクのスケジューリング結果から上りリンク送信許可情報を作成し、送信処理部２０７に通知する。
【０２０２】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクで送信されるデータのスケジューリング処理を行う。ＭＡＣ制御部２１９は、受信処理部２１１から入力された下りリンク送信データの応答情報（ＡＣＫ／ＮＡＣＫ）、下りリンク無線チャネル品質情報（ＣＱＩ）、及び、送信データ記憶部２０３から取得したユーザー毎のデータ量情報から下りリンクデータのスケジューリング処理を行う。ＭＡＣ制御部２１９は、スケジューリング処理の結果に基づいて、送信データ記憶部２０３、送信ＨＡＲＱ処理部２０５、送信処理部２０７を制御する。
【０２０３】
ＭＡＣ制御部２１９は、受信処理部２１１から入力された上りリンク送信要求情報（スケジューリングリクエスト）、ＭＡＣ情報抽出部２１５から入力されたバッファステータスレポートから上りリンクデータのスケジューリング処理を行う。ＭＡＣ制御部２１９は、スケジューリング処理の結果をＰＨＹ制御部２１７に通知する。
【０２０４】
ＭＡＣ制御部２１９は、ＭＡＣ情報抽出部２１５から入力されたパワーヘッドルームレポート（複数のサブフレームのパワーヘッドルームの平均値）（複数のサブフレームに対する複数のパワーヘッドルーム、パワーヘッドルームの個数）（複数のサブフレームのパワーヘッドルームの最大値と最小値）（複数のサブフレームのパワーヘッドルームの最大値）から上りリンクデータのスケジューリング処理を行う。例えば、ＭＡＣ制御部２１９は、パワーヘッドルームレポートから端末装置１に割り当てるＰＵＳＣＨのリソースの帯域幅を決定し、ＰＵＳＣＨの送信電力を制御する。なお、ＰＵＳＣＨに割り当てられるリソースの帯域幅（ＰＲＢ：Physical Resource Blockの数）に依存して、端末装置１のＰＵＳＣＨの送信電力が制御される。ＭＡＣ制御部２１９は、スケジューリング処理の結果をＰＨＹ制御部２１７に通知する。
【０２０５】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【０２０６】
また、ＭＡＣ制御部２１９は、端末装置１に割り当てたセル（または、コンポーネントキャリア）のアクティベーション／デアクティベーション処理を行う。ＭＡＣ制御部２１９は、送信タイミンググループ及び各送信タイミンググループの上りリンク送信タイミングの管理等を行う。
【０２０７】
ＲＲＣ制御部２２３は、端末装置１とのＲＲＣ接続及び接続解放処理、キャリアアグリゲーションの設定、端末装置１の制御データおよびユーザーデータをどのセルで送受信するかのデータ制御設定、端末装置１のパワーヘッドルームレポーティングに関するパラメータ（第一のタイマー、第二のタイマー）（パワーヘッドルームレポートに含まれるパワーヘッドルームの個数の最大値）（パワーヘッドルームレポートの形式）設定など端末装置１と通信を行うための各種設定を行い、各種設定に伴う上位層との情報のやり取りを行い、各種設定に伴う下位層の制御を行う。
【０２０８】
ＲＲＣ制御部２２３は、各種ＲＲＣメッセージを作成し、作成したＲＲＣメッセージをデータ生成部２０１に出力する。ＲＲＣメッセージ（ＲＲＣシグナリング）には、パワーヘッドルームレポーティングに関するパラメータ（第一のタイマー、第二のタイマー）（パワーヘッドルームレポートに含まれるパワーヘッドルームの個数の最大値）（パワーヘッドルームレポートの形式）が含まれる。ＲＲＣ制御部２２３は、データ処理部２２１から入力されたＲＲＣメッセージを解析する。ＲＲＣ制御部２２３は、ＭＡＣ層に必要な情報をＭＡＣ制御部２１９に出力し、物理層に必要な情報をＰＨＹ制御部２１７に出力する。また、ＲＲＣ制御部２２３は、ハンドオーバーを行う場合、または、デュアルコネクティビティを用いる場合、基地局装置間通信部２２５およびＭＭＥ通信部２２７に必要な情報を通知する。
【０２０９】
基地局装置間通信部２２５は、他の基地局装置３と接続し、ＲＲＣ制御部２２３から入力された制御メッセージを他の基地局装置３に送信する。また、基地局装置間通信部２２５は、他の基地局装置３からの制御メッセージを受信し、受信した制御メッセージをＲＲＣ制御部２２３に出力する。基地局装置３間でやり取りされる制御メッセージには、ハンドオーバーに関係するメッセージ、デュアルコネクティビティの接続及び接続解放に関する制御メッセージ、端末装置１−１のデータ制御に関するメッセージなどがある。
【０２１０】
ＭＭＥ通信部２２７は、ＭＭＥ（Mobility Management Entity）と接続し、ＲＲＣ制御部２２３から入力された基地局装置３とＭＭＥ間の制御メッセージをＭＭＥに送信する。また、ＭＭＥ通信部２２７は、ＭＭＥからの基地局装置３とＭＭＥ間の制御メッセージを受信し、受信した制御メッセージをＲＲＣ制御部２２３に出力する。基地局装置３とＭＭＥ間の制御メッセージには、パススイッチ要求メッセージ、パススイッチ要求応答メッセージなどがある。
【０２１１】
ＧＷ間通信部２２９は、ＧＷ（Gateway）と接続し、ＧＷから送られる端末装置１のユーザーデータを受信し、受信したデータをデータ生成部２０１に出力する。また、ＧＷ間通信部２２９は、データ処理部２２１から入力された端末装置１のユーザーデータをＧＷに送信する。
【０２１２】
尚、送信処理部２０７、無線部２０９、受信処理部２１１は、ＰＨＹ層の動作を行い、送信データ記憶部２０３、送信ＨＡＲＱ処理部２０５、受信ＨＡＲＱ処理部２１３、ＭＡＣ情報抽出部２１５、ＭＡＣ制御部２１９は、ＭＡＣ層の動作を行い、データ生成部２０１及びデータ処理部２２１は、ＲＬＣ層及びＰＤＣＰ層の動作を行い、ＲＲＣ制御部２２３はＲＲＣ層の動作を行う。
【０２１３】
[動作説明]
図５〜図１０で説明したような無線通信システムを想定する。そして、図５で示されるように、基地局装置３−１と複数の端末装置１−１、１−２、１−３とが通信を行なう。また、図１０で説明したマクロセルの基地局装置３−１およびスモールセルの基地局装置３−２と端末装置１−１とが複数のセル（異なる周波数のセル）を介して通信を行なうような無線通信システムを想定する。
【０２１４】
図３は、本発明の実施形態のデュアルコネクティビティを用いた動作の一例についての説明図である。図３に示すように端末装置１−１は、デュアルコネクティビティ接続により基地局装置３−１と基地局装置３−２と接続する。図３では、マクロセルの基地局装置３−１（第一の基地局装置）と端末装置１−１間では、制御情報とユーザー情報の送受信が行われる。図３では、スモールセルの基地局装置３−２（第二の基地局装置）と端末装置１−１間では、ユーザー情報の送受信が行われる。
【０２１５】
また、図３に示すようなデュアルコネクティビティ接続では、マクロセルの基地局装置３−１とＭＭＥ（Mobility Management Entity）間では、少なくとも端末装置１−１の制御情報の送受信が行われる。マクロセルの基地局装置３−１とＧＷ（Gateway））間では、少なくとも端末装置１−１のユーザー情報の送受信が行われる。マクロセルの基地局装置３−１は、スモールセルの基地局装置３−２にＧＷから受信したユーザー情報を転送する。また、スモールセルの基地局装置３−２は、端末装置１−１から受信したユーザー情報を基地局装置３−１に転送する。また、マクロセルの基地局装置３−１とスモールセルの基地局装置３−２の間では、端末装置１−１を制御するための制御情報の送受信が行われる。また、スモールセルの基地局装置３−２とＧＷ間が接続され、スモールセルの基地局装置３−２がユーザー情報をＧＷに転送するような構成でもよい。
【０２１６】
なお、図３において、スモールセルの基地局装置３−２は、ＧＷと接続されており、スモールセルの基地局装置３−２とのみ接続されている端末装置１のユーザー情報がスモールセルの基地局装置３−２とＧＷ間でやり取りされ、スモールセルの基地局装置３−２は、スモールセルの基地局装置３−２とのみ接続されている端末装置１にユーザー情報を送信する。
【０２１７】
なお、図３において、スモールセルの基地局装置３−２は、ＭＭＥと接続されてもよく、スモールセルの基地局装置３−２とのみ接続されている端末装置１の制御情報がスモールセルの基地局装置３−２とＭＭＥ間でやり取りされ、スモールセルの基地局装置３−２は、スモールセルの基地局装置３−２とのみ接続されている端末装置１に制御情報を送信してもよい。
【０２１８】
図４は、本発明の実施形態に係る端末装置１のパワーヘッドルームレポーティングの処理の一例を示すフローチャートである。ここでは、第二のパワーヘッドルームレポーティングの処理について説明する。ここでは、パワーヘッドルームのトリガーに関する処理について説明する。端末装置１は、基地局装置３より受信したＲＲＣシグナリングに基づき、第一のタイマーと第二のタイマーを設定する（ステップＳ１０1）。端末装置１は、第一のタイマーが満了したか否かを判定する（ステップＳ１０２）。端末装置１は、第一のタイマーが満了したと判断した場合（ステップＳ１０２：ＹＥＳ）、第一のセル（第一の基地局装置）に関するパワーヘッドルームを第二のセルを介して（第二の基地局装置に）報告することをトリガーする（ステップＳ１０３）。端末装置１は、第二のタイマーが満了したか否かを判定する（ステップＳ１０４）。端末装置１は、第二のタイマーが満了したと判断した場合（ステップＳ１０４：ＹＥＳ）、第二のセル（第二の基地局装置）に関するパワーヘッドルームを第一のセルを介して（第一の基地局装置に）報告することをトリガーする（ステップＳ１０５）。端末装置１は、第一のタイマーが満了したと判断しなかった場合（第一のタイマーが満了していないと判断した場合）（ステップＳ１０２：ＮＯ）、第一のセル（第一の基地局装置）に関するパワーヘッドルームを第二のセルを介して（第二の基地局装置に）報告することをトリガーしない。端末装置１は、第二のタイマーが満了したと判断しなかった場合（第二のタイマーが満了していないと判断した場合）（ステップＳ１０４：ＮＯ）、第二のセル（第二の基地局装置）に関するパワーヘッドルームを第一のセルを介して（第一の基地局装置に）報告することをトリガーしない。
【０２１９】
基地局装置３は、異なる２つの基地局装置（第一の基地局装置と第二の基地局装置）と接続される端末装置１に対して、端末装置１において複数のサブフレームに関するパワーヘッドルームの報告のトリガーの判断に用いられるタイマーの値を示す情報を通知する。タイマーは、第一の基地局装置への上りリンクの信号に対するパワーヘッドルームの第二の基地局装置への報告のトリガーの判断に用いられる第一のタイマーと、第二の基地局装置への上りリンクの信号に対するパワーヘッドルームの第一の基地局装置への報告のトリガーの判断に用いられる第二のタイマーとから構成される。基地局装置３は、複数のサブフレームに対する複数のパワーヘッドルームに対して平均化処理が行われたパワーヘッドルームを端末装置１から取得する。基地局装置３は、複数のサブフレームに対する複数のパワーヘッドルームを同一のサブフレームで端末装置１から取得する。基地局装置３は、端末装置１から報告されるパワーヘッドルームの個数を示す情報を取得する。基地局装置３は、端末装置１が同一のサブフレームで報告するパワーヘッドルームの個数を示す情報をＲＲＣシグナリングを用いて端末装置１に通知する。基地局装置３は、複数のサブフレームに対する複数のパワーヘッドルームの最大値と最小値を端末装置１から取得する。基地局装置３は、複数のサブフレームに対する複数のパワーヘッドルームの最大値を端末装置１から取得する。
【０２２０】
端末装置１は、第一の基地局装置と第二の基地局装置と接続する。端末装置１は、パワーヘッドルームを報告させるきっかけとなるタイマーの値を示す情報を受信し、タイマーの満了後、複数のサブフレームに関するパワーヘッドルームを第一の基地局装置または第二の基地局装置に報告する。端末装置１は、第一の基地局装置への上りリンクの信号に対するパワーヘッドルームを第二の基地局装置に報告し、第二の基地局装置への上りリンクの信号に対するパワーヘッドルームを第一の基地局装置に報告する。タイマーは、端末装置１が第一の基地局装置への上りリンクの信号に対するパワーヘッドルームを第二の基地局装置に報告することをトリガーするために用いられる第一のタイマーと、端末装置１が第二の基地局装置への上りリンクの信号に対するパワーヘッドルームを第一の基地局装置に報告することをトリガーするために用いられる第二のタイマーとから構成される。端末装置１は、第一のタイマーの満了以前に第一の基地局装置にＰＵＳＣＨを用いて信号を送信しなかった場合は、第一の基地局装置にＰＵＳＣＨを用いて信号を送信するまで第一の基地局装置への上りリンクの信号に対するパワーヘッドルームを第二の基地局装置に報告することを延期し、第二のタイマーの満了以前に第二の基地局装置にＰＵＳＣＨを用いて信号を送信しなかった場合は、第二の基地局装置にＰＵＳＣＨを用いて信号を送信するまで第二の基地局装置への上りリンクの信号に対するパワーヘッドルームを第一の基地局装置に報告することを延期する。端末装置１は、複数のサブフレームに対する複数のパワーヘッドルームに対して平均化処理を行い、平均化処理が行われたパワーヘッドルームを報告する。端末装置１は、第一の基地局装置にＰＵＳＣＨを用いて信号を送信した場合のパワーヘッドルームのみを用いて平均化処理を行ったパワーヘッドルームを第二の基地局装置に報告し、第二の基地局装置にＰＵＳＣＨを用いて信号を送信した場合のパワーヘッドルームのみを用いて平均化処理を行ったパワーヘッドルームを第一の基地局装置に報告する。端末装置１は、パワーヘッドルームを第一の基地局装置または前記第二の基地局装置に報告する際、報告されるパワーヘッドルームの計算に用いるパワーヘッドルームが１つしかない場合は、複数サブフレームに対する平均化処理を行わない。端末装置１は、複数のサブフレームに対する複数のパワーヘッドルームを同一のサブフレームで報告する。端末装置１は、報告するパワーヘッドルームの個数を示す情報を基地局装置３に報告する。端末装置１は、同一のサブフレームで報告されるパワーヘッドルームの個数がＲＲＣシグナリングで構成される。端末装置１は、複数のサブフレームに対する複数のパワーヘッドルームの最大値と最小値を報告する。端末装置１は、複数のサブフレームに対する複数のパワーヘッドルームの最大値を報告する。
【０２２１】
第一の基地局装置と第二の基地局装置と接続する端末装置１に実装される集積回路は、パワーヘッドルームを報告させるきっかけとなるタイマーの値を示す情報を受信する受信処理部と、タイマーの満了後、複数のサブフレームに関するパワーヘッドルームを第一の基地局装置または第二の基地局装置に報告することをトリガーするＭＡＣ制御部と、を有する。端末装置１に実装される集積回路において、ＭＡＣ制御部は、第一の基地局装置への上りリンクの信号に対するパワーヘッドルームを第二の基地局装置に報告することをトリガーし、第二の基地局装置への上りリンクの信号に対するパワーヘッドルームを第一の基地局装置に報告することをトリガーする。タイマーは、第一の基地局装置への上りリンクの信号に対するパワーヘッドルームを端末装置１が第二の基地局装置に報告することをトリガーするために用いられる第一のタイマーと、第二の基地局装置への上りリンクの信号に対するパワーヘッドルームを端末装置１が第一の基地局装置に報告することをトリガーするために用いられる第二のタイマーとから構成される。端末装置１に実装される集積回路において、ＭＡＣ制御部は、端末装置１が第一のタイマーの満了以前に第一の基地局装置にＰＵＳＣＨを用いて信号を送信しなかった場合は、端末装置１が第一の基地局装置にＰＵＳＣＨを用いて信号を送信するまで第一の基地局装置への上りリンクの信号に対するパワーヘッドルームを第二の基地局装置に報告することをトリガーすることを延期し、端末装置１が第二のタイマーの満了以前に第二の基地局装置にＰＵＳＣＨを用いて信号を送信しなかった場合は、端末装置１が第二の基地局装置にＰＵＳＣＨを用いて信号を送信するまで第二の基地局装置への上りリンクの信号に対するパワーヘッドルームを第一の基地局装置に報告することをトリガーすることを延期する。端末装置１に実装される集積回路において、ＭＡＣ制御部は、複数のサブフレームに対する複数のパワーヘッドルームに対して平均化処理を行い、平均化処理が行われたパワーヘッドルームを生成する。端末装置１に実装される集積回路において、ＭＡＣ制御部は、端末装置１が第一の基地局装置にＰＵＳＣＨを用いて信号を送信した場合のパワーヘッドルームのみを用いて平均化処理を行ったパワーヘッドルームを生成し、端末装置１が第二の基地局装置にＰＵＳＣＨを用いて信号を送信した場合のパワーヘッドルームのみを用いて平均化処理を行ったパワーヘッドルームを生成する。端末装置１に実装される集積回路において、ＭＡＣ制御部は、パワーヘッドルームが第一の基地局装置または第二の基地局装置に報告される際、報告されるパワーヘッドルームの計算に用いるパワーヘッドルームが１つしかない場合は、複数サブフレームに対する平均化処理を行わない。端末装置１に実装される集積回路において、ＭＡＣ制御部は、複数のサブフレームに対する複数のパワーヘッドルームを同一のサブフレームで報告するメッセージとして生成する。端末装置１に実装される集積回路において、ＭＡＣ制御部は、報告するパワーヘッドルームの個数を示す情報をメッセージ（パワーヘッドルームレポート）の一部として生成する。端末装置１に実装される集積回路において、同一のサブフレームで報告されるパワーヘッドルームの個数を構成するＲＲＣ制御部を有する。端末装置１に実装される集積回路において、ＭＡＣ制御部は、複数のサブフレームに対する複数のパワーヘッドルームの最大値と最小値を報告するメッセージとして生成する。端末装置１に実装される集積回路において、ＭＡＣ制御部は、複数のサブフレームに対する複数のパワーヘッドルームの最大値を報告するメッセージとして生成する。
【０２２２】
なお、本願発明は前述の実施形態に限定されるものではない。実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０２２３】
本発明の実施形態に記載の動作をプログラムで実現してもよい。本発明に関わる端末装置１および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、前述した実施形態の機能が実現されるだけでなく、そのプログラムの指示に基づき、オペレーティングシステムあるいは他のアプリケーションプログラム等と共同して処理することにより、本発明の機能が実現される場合もある。
【０２２４】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、前述した実施形態における端末装置１および基地局装置３の一部、または全部を典型的には集積回路であるＬＳＩとして実現してもよい。端末装置１および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。端末装置１および基地局装置３の各機能ブロックは、複数の回路により実現してもよい。
【０２２５】
情報及び信号が、種々の異なるあらゆる技術及び方法を用いて示され得る。例えば前述の説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０２２６】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０２２７】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２２８】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、端末装置（ユーザ端末）内にあり得る。あるいは、プロセッサ及び記録媒体は、ディスクリート要素として端末装置５内にあっても良い。
【０２２９】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。前述のものを組み合わせたものもまた、コンピュータ読み取り可能な媒体に含まれるべきである。
【０２３０】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２３１】
１−１〜１−３  端末装置
３−１、３−２  基地局装置
１０１、２０１  データ生成部
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７、２１７  ＰＨＹ制御部
１１９、２１９  ＭＡＣ制御部
１２１、２２１  データ処理部
１２３、２２３  ＲＲＣ制御部
２２５          基地局装置間通信部
２２７          ＭＭＥ通信部
２２９          ＧＷ通信部
【図１】
2015082747.tif 000003
【図２】
2015082747.tif 000004
【図３】
2015082747.tif 000005
【図４】
2015082747.tif 000006
【図５】
2015082747.tif 000007
【図６】
2015082747.tif 000008
【図７】
2015082747.tif 000009
【図８】
2015082747.tif 000010
【図９】
2015082747.tif 000011
【図１０】
2015082747.tif 000012